(57)【要約】本出願は、通信方法および通信デバイスを提供する。本方法は、端末がネットワークデバイスに第１のプリアンブルを送った後、端末とネットワークデバイスとの両方によって、ｉ番目の時間単位と、第１の周波数領域リソースと、最大ＲＡＲ時間ウィンドウ長とに従って第１のＲＡＲのスクランブル値を決定するステップであって、ｉ番目の時間単位は、第１の時間領域リソースに対応する第１の時間単位であり、最大時間ウィンドウ長は、Ｍ個の時間単位を含み、Ｍは、端末とネットワークデバイスとの間での通信のための複数のシステムパラメータ中の各システムパラメータのシステムフレーム中に含まれる時間単位の量の整数倍に等しい、決定するステップを含む。したがって、端末がネットワークデバイスに複数のシステムパラメータのプリアンブルを送信するとき、これらの異なるプリアンブルを使用することによってＲＡＲの異なるスクランブル値が決定され、ＲＡＲが異なるスクランブル値に従って正しく受信された後、ＲＡＲに対応するプリアンブルとＲＡＣＨリソースとが正確に区別され得、それによって、ＲＡＲ検出精度を改善する。
2020529796.tif 000002
【特許請求の範囲】
【請求項１】
通信方法であって、
第１の通信デバイスによって、第２の通信デバイスに第１のプリアンブルを送信するステップであって、前記第１のプリアンブルは、第１の時間領域リソースと第１の周波数領域リソースとを占有し、前記第１の時間領域リソースに対応する第１の時間単位は、システムフレーム中でインデックス番号ｉを有する時間単位である、送信するステップと、
前記第１の通信デバイスによって、インデックス番号ｉを有する前記時間単位と、前記第１の周波数領域リソースと、時間単位の量Ｍとに従って第１のランダムアクセス応答ＲＡＲのスクランブル値を決定するステップであって、前記第１のＲＡＲは、前記第１のプリアンブルに対応するＲＡＲであり、Ｍは、前記第１の通信デバイスと前記第２の通信デバイスとの間の通信のための複数のシステムパラメータ中の各システムパラメータのシステムフレーム中の時間単位の量の整数倍に等しい、決定するステップと、
前記第１のＲＡＲの前記スクランブル値に従って前記第１のＲＡＲの時間ウィンドウ中で前記第１の通信デバイスによって、前記第２の通信デバイスから前記第１のＲＡＲを受信するステップであって、前記第１のＲＡＲの前記時間ウィンドウの長さは、Ｍ個の時間単位以下である、受信するステップと
を備える方法。
【請求項２】
前記第１の通信デバイスによって、前記第１のＲＡＲの前記時間ウィンドウの前記長さに関する情報を前記第２の通信デバイスから受信するステップ
をさらに備える請求項１に記載の方法。
【請求項３】
前記時間単位は、前記第１の通信デバイスと前記第２の通信デバイスとの間でのデータ伝送のための時間間隔、またはスロットである請求項１または２に記載の方法。
【請求項４】
前記第１の通信デバイスによって、インデックス番号ｉを有する前記時間単位と、前記第１の周波数領域リソースと、時間単位の量Ｍとに従って第１のＲＡＲのスクランブル値を決定する前記ステップは、
前記第１の通信デバイスによって、前記時間単位の前記インデックス番号ｉと、前記第１の周波数領域リソースと、時間単位の前記量Ｍと、現在のシステムパラメータのシステムフレーム中の時間単位の量と、前記時間単位のうちの１つ中にあり前記第１のプリアンブルのものである候補周波数領域リソースの最大量と、前記第１の時間領域リソースが位置する第１のシステムフレームのインデックス番号とのうちの少なくとも１つに従って前記第１のＲＡＲの前記スクランブル値を決定するステップ
を備える請求項１乃至３のいずれか一項に記載の方法。
【請求項５】
前記第１の通信デバイスによって、前記時間単位の前記インデックス番号ｉと、前記第１の周波数領域リソースと、時間単位の前記量Ｍと、現在のシステムパラメータのシステムフレーム中の時間単位の量と、前記時間単位のうちの１つ中にあり前記第１のプリアンブルのものである候補周波数領域リソースの最大量と、前記第１の時間領域リソースが位置する第１のシステムフレームのインデックス番号とのうちの少なくとも１つに従って前記第１のＲＡＲの前記スクランブル値を決定する前記ステップは、
前記第１の通信デバイスによって、式１に従って前記第１のＲＡＲの前記スクランブル値を決定するステップであって、
式１は、以下の通りであり、
ＲＡ−ＲＮＴＩ＝１＋ｉ＋Ｎframe×ｆ＿ｉｄ＋Ｆmax×Ｎframe（ＳＦＮ＿ｉｄ  ｍｏｄ（Ｗmax／Ｎframe））
ここで、ＲＡ−ＲＮＴＩは、前記第１のＲＡＲの前記スクランブル値であり、ｉは、前記現在のシステムパラメータの前記第１の時間領域リソースに対応する前記第１の時間単位の前記インデックス番号を表し、Ｎframeは、前記現在のシステムパラメータのシステムフレーム中の時間単位の前記量を表し、Ｆmaxは、前記時間単位のうちの１つ中にあり、前記第１のプリアンブルのものである候補周波数領域リソースの前記最大量であり、ｆ＿ｉｄは、前記第１の周波数領域リソースに対応する候補周波数領域リソースのインデックス番号を表し、ＳＦＮ＿ｉｄは、前記第１の時間領域リソースが位置する前記第１のシステムフレームの前記インデックス番号を表し、Ｗmaxは、時間単位の前記量Ｍを表す、
決定するステップ
を備える請求項４に記載の方法。
【請求項６】
前記第１のプリアンブルは、前記第２の通信デバイスに前記第１の通信デバイスによって送信される必要があるＫ個のプリアンブルのうちのいずれか１つであり、前記第１のプリアンブルは、前記プリアンブル中のＴ番目のプリアンブルであり、１≦Ｔ≦Ｋであり、前記第１の時間領域リソースに対応する前記第１の時間単位の前記インデックス番号はｉTであり、ｉTの値は、Ｔの値とともに変化し、前記第１の周波数領域リソースは、（ｊT）番目の周波数領域リソースであり、
前記第１のＲＡＲの前記時間ウィンドウの開始時間単位は、前記プリアンブル中の第１のプリアンブルに対応する第１の時間単位のインデックス番号ｉ1に関係づけられ、ならびに／または
前記第１のＲＡＲの前記時間ウィンドウの終了時間単位は、前記プリアンブル中のＫ番目のプリアンブルに対応する第１の時間単位のインデックス番号ｉKに関係づけられる
請求項１乃至５のいずれか一項に記載の方法。
【請求項７】
前記第１の通信デバイスによって、前記第１のＲＡＲの前記スクランブル値に従って前記第１のＲＡＲを正常に受信するステップと、前記第２の通信デバイスにランダムアクセスメッセージ３を送信するステップと
をさらに備える請求項６に記載の方法。
【請求項８】
前記第１の通信デバイスによって、前記第１のＲＡＲの前記スクランブル値に従って前記第１のＲＡＲを正常に受信するステップと、前記第２の通信デバイスに前記Ｋ個のプリアンブル中の未送信のプリアンブルを送信するのを止めるステップと
をさらに備える請求項６に記載の方法。
【請求項９】
Ｍの値が８０である請求項１乃至８のいずれか一項に記載の方法。
【請求項１０】
通信方法であって、
第２の通信デバイスによって、第１の通信デバイスから第１のプリアンブルを受信するステップであって、前記第１のプリアンブルは、第１の時間領域リソースと第１の周波数領域リソースとを占有し、前記第１の時間領域リソースに対応する第１の時間単位は、システムフレーム中でインデックス番号ｉを有する時間単位である、受信するステップと、
前記第２の通信デバイスによって、インデックス番号ｉを有する前記時間単位と、前記第１の周波数領域リソースと、時間単位の量Ｍとに従って第１のランダムアクセス応答ＲＡＲのスクランブル値を決定するステップであって、前記第１のＲＡＲは、前記第１のプリアンブルに対応するＲＡＲであり、Ｍは、前記第１の通信デバイスと前記第２の通信デバイスとの間の通信のための複数のシステムパラメータ中の各システムパラメータのシステムフレーム中の時間単位の量の整数倍に等しい、決定するステップと、
前記第２の通信デバイスによって、前記第１のＲＡＲの前記スクランブル値に従って前記第１のＲＡＲの時間ウィンドウ中で前記第１の通信デバイスに前記第１のＲＡＲを送信するステップであって、前記第１のＲＡＲの前記時間ウィンドウの長さは、Ｍ個の時間単位以下である、送信するステップと
を備える方法。
【請求項１１】
前記第２の通信デバイスによって、前記第１の通信デバイスに前記第１のＲＡＲの前記時間ウィンドウの前記長さに関する情報を送信するステップ
をさらに備える請求項１０に記載の方法。
【請求項１２】
前記時間単位は、前記第１の通信デバイスと前記第２の通信デバイスとの間でのデータ伝送のための時間間隔、またはスロットである請求項１０または１１に記載の方法。
【請求項１３】
前記第２の通信デバイスによって、インデックス番号ｉを有する前記時間単位と、前記第１の周波数領域リソースと、時間単位の量Ｍとに従って第１のＲＡＲのスクランブル値を決定する前記ステップは、
前記第２の通信デバイスによって、インデックス番号ｉを有する前記時間単位と、前記第１の周波数領域リソースと、時間単位の前記量Ｍと、現在のシステムパラメータのシステムフレーム中の時間単位の量と、前記時間単位のうちの１つ中にあり前記第１のプリアンブルのものである候補周波数領域リソースの最大量と、前記第１の時間領域リソースが位置する第１のシステムフレームのインデックス番号とのうちの少なくとも１つに従って前記第１のＲＡＲの前記スクランブル値を決定するステップ
を備える請求項１０乃至１２のいずれか一項に記載の方法。
【請求項１４】
前記第２の通信デバイスによって、前記時間単位の前記インデックス番号ｉと、前記第１の周波数領域リソースと、時間単位の前記量Ｍと、現在のシステムパラメータのシステムフレーム中の時間単位の量と、前記時間単位のうちの１つ中にあり前記第１のプリアンブルのものである候補周波数領域リソースの最大量と、前記第１の時間領域リソースが位置する第１のシステムフレームのインデックス番号とのうちの少なくとも１つに従って前記第１のＲＡＲの前記スクランブル値を決定する前記ステップは、
前記第２の通信デバイスによって、式１に従って前記第１のＲＡＲの前記スクランブル値を決定するステップであって、
式１は、以下の通りであり、
ＲＡ−ＲＮＴＩ＝１＋ｉ＋Ｎframe×ｆ＿ｉｄ＋Ｆmax×Ｎframe（ＳＦＮ＿ｉｄ  ｍｏｄ（Ｗmax／Ｎframe））
ここで、ＲＡ−ＲＮＴＩは、前記第１のＲＡＲの前記スクランブル値であり、ｉは、前記現在のシステムパラメータの前記第１の時間領域リソースに対応する前記第１の時間単位の前記インデックス番号を表し、Ｎframeは、前記現在のシステムパラメータのシステムフレーム中の時間単位の前記量を表し、Ｆmaxは、前記時間単位のうちの１つ中にあり、前記第１のプリアンブルのものである候補周波数領域リソースの前記最大量であり、ｆ＿ｉｄは、前記第１の周波数領域リソースに対応する候補周波数領域リソースのインデックス番号を表し、ＳＦＮ＿ｉｄは、前記第１の時間領域リソースが位置する前記第１のシステムフレームの前記インデックス番号を表し、Ｗmaxは、時間単位の前記量Ｍを表す、
決定するステップ
を備える請求項１３に記載の方法。
【請求項１５】
前記第１のプリアンブルは、前記第１の通信デバイスに前記第２の通信デバイスによって送信される必要があるＫ個のプリアンブルのうちのいずれか１つであり、前記第１のプリアンブルは、前記プリアンブル中のＴ番目のプリアンブルであり、１≦Ｔ≦Ｋであり、前記第１の時間領域リソースに対応する前記第１の時間単位の前記インデックス番号はｉTであり、ｉTの値は、Ｔの値とともに変化し、前記第１の時間領域リソースは、（ｊT）番目の周波数領域リソースであり、
前記第１のＲＡＲの前記時間ウィンドウの開始時間単位は、前記プリアンブル中の第１のプリアンブルに対応する第１の時間単位のインデックス番号ｉ1に関係づけられ、ならびに／または
前記第１のＲＡＲの前記時間ウィンドウの終了時間単位は、前記プリアンブル中のＫ番目のプリアンブルに対応する第１の時間単位のインデックス番号ｉKに関係づけられる
請求項１０乃至１４のいずれか一項に記載の方法。
【請求項１６】
前記第２の通信デバイスによって、前記第１の通信デバイスからランダムアクセスメッセージ３を受信するステップと、
前記ランダムアクセスメッセージ３に従って前記第２の通信デバイスによって、前記Ｋ個のプリアンブル中の未送信のプリアンブルによって占有されたランダムアクセスリソースを解放するステップ、または前記ランダムアクセスメッセージ３に従って前記第２の通信デバイスによって、別の通信デバイスに前記Ｋ個のプリアンブル中の未送信のプリアンブルによって占有されたランダムアクセスリソースを割り当てるステップと
をさらに備える請求項１５に記載の方法。
【請求項１７】
Ｍの値が８０である請求項１０乃至１６のいずれか一項に記載の方法。
【請求項１８】
第１の通信デバイスとして使用される通信デバイスであって、
第２の通信デバイスに第１のプリアンブルを送信するように構成された送信モジュールであって、前記第１のプリアンブルは、第１の時間領域リソースと第１の周波数領域リソースとを占有し、前記第１の時間領域リソースに対応する第１の時間単位は、システムフレーム中でインデックス番号ｉを有する時間単位である、送信モジュールと、
インデックス番号ｉを有する前記時間単位と、前記第１の周波数領域リソースと、時間単位の量Ｍとに従って第１のランダムアクセス応答ＲＡＲのスクランブル値を決定するように構成された処理モジュールであって、前記第１のＲＡＲは、前記第１のプリアンブルに対応するＲＡＲであり、Ｍは、前記第１の通信デバイスと前記第２の通信デバイスとの間の通信のための複数のシステムパラメータ中の各システムパラメータのシステムフレーム中の時間単位の量の整数倍に等しい、処理モジュールと、
前記第１のＲＡＲの前記スクランブル値に従って前記第１のＲＡＲの時間ウィンドウ中で、前記第２の通信デバイスから前記第１のＲＡＲを受信するように構成された受信モジュールであって、前記第１のＲＡＲの前記時間ウィンドウの長さは、Ｍ個の時間単位以下である、受信モジュールと
を備える通信デバイス。
【請求項１９】
前記受信モジュールは、前記第１のＲＡＲの前記時間ウィンドウの前記長さに関する情報を前記第２の通信デバイスから受信するようにさらに構成される、請求項１８に記載の通信デバイス。
【請求項２０】
前記時間単位は、前記第１の通信デバイスと前記第２の通信デバイスとの間でのデータ伝送のための時間間隔、またはスロットである請求項１８または１９に記載の通信デバイス。
【請求項２１】
前記処理モジュールは、前記時間単位の前記インデックス番号ｉと、前記第１の周波数領域リソースと、時間単位の量Ｍと、現在のシステムパラメータのシステムフレーム中の時間単位の量と、前記時間単位のうちの１つ中にあり前記第１のプリアンブルのものである候補周波数領域リソースの最大量と、前記第１の時間領域リソースが位置する第１のシステムフレームのインデックス番号とのうちの少なくとも１つに従って前記第１のＲＡＲの前記スクランブル値を決定するように特に構成された、請求項１８乃至２０のいずれか一項に記載の通信デバイス。
【請求項２２】
前記処理モジュールは、式１に従って前記第１のＲＡＲの前記スクランブル値を決定するように特に構成され、
式１は、以下の通りであり、
ＲＡ−ＲＮＴＩ＝１＋ｉ＋Ｎframe×ｆ＿ｉｄ＋Ｆmax×Ｎframe（ＳＦＮ＿ｉｄ  ｍｏｄ（Ｗmax／Ｎframe））
ここで、ＲＡ−ＲＮＴＩは、前記第１のＲＡＲの前記スクランブル値であり、ｉは、前記現在のシステムパラメータの前記第１の時間領域リソースに対応する前記第１の時間単位の前記インデックス番号を表し、Ｎframeは、前記現在のシステムパラメータのシステムフレーム中の時間単位の前記量を表し、Ｆmaxは、前記時間単位のうちの１つ中にあり、前記第１のプリアンブルのものである候補周波数領域リソースの前記最大量であり、ｆ＿ｉｄは、前記第１の周波数領域リソースに対応する候補周波数領域リソースのインデックス番号を表し、ＳＦＮ＿ｉｄは、前記第１の時間領域リソースが位置する前記第１のシステムフレームの前記インデックス番号を表し、Ｗmaxは、時間単位の前記量Ｍを表す、請求項２１に記載の通信デバイス。
【請求項２３】
前記第１のプリアンブルは、前記第２の通信デバイスに前記第１の通信デバイスによって送信される必要があるＫ個のプリアンブルのうちのいずれか１つであり、前記第１のプリアンブルは、前記プリアンブル中のＴ番目のプリアンブルであり、１≦Ｔ≦Ｋであり、前記第１の時間領域リソースに対応する前記第１の時間単位の前記インデックス番号はｉTであり、ｉTの値は、Ｔの値とともに変化し、前記第１の周波数領域リソースは、（ｊT）番目の周波数領域リソースであり、
前記第１のＲＡＲの前記時間ウィンドウの開始時間単位は、前記プリアンブル中の第１のプリアンブルに対応する第１の時間単位のインデックス番号ｉ1に関係づけられ、ならびに／または
前記第１のＲＡＲの前記時間ウィンドウの終了時間単位は、前記プリアンブル中のＫ番目のプリアンブルに対応する第１の時間単位のインデックス番号ｉKに関係づけられる
請求項１８乃至２２のいずれか一項に記載の通信デバイス。
【請求項２４】
前記受信モジュールは、前記第１のＲＡＲの前記スクランブル値に従って前記第１のＲＡＲを正常に受信するようにさらに構成され、
前記送信モジュールは、前記第２の通信デバイスにランダムアクセスメッセージ３を送信するようにさらに構成された、請求項２３に記載の通信デバイス。
【請求項２５】
前記受信モジュールは、前記第１のＲＡＲの前記スクランブル値に従って前記第１のＲＡＲを正常に受信するようにさらに構成され、
前記処理モジュールは、前記第２の通信デバイスに前記Ｋ個のプリアンブル中の未送信のプリアンブルを送信するのを止めるようにさらに構成された、請求項２３に記載の通信デバイス。
【請求項２６】
Ｍの値が８０である請求項１８乃至２５のいずれか一項に記載の通信デバイス。
【請求項２７】
第２の通信デバイスとして使用される通信デバイスであって、
第１の通信デバイスから第１のプリアンブルを受信するように構成された受信モジュールであって、前記第１のプリアンブルは、第１の時間領域リソースと第１の周波数領域リソースとを占有し、前記第１の時間領域リソースに対応する第１の時間単位は、システムフレーム中でインデックス番号ｉを有する時間単位である、受信モジュールと、
インデックス番号ｉを有する前記時間単位と、前記第１の周波数領域リソースと、時間単位の量Ｍとに従って第１のランダムアクセス応答ＲＡＲのスクランブル値を決定するように構成された処理モジュールであって、前記第１のＲＡＲは、前記第１のプリアンブルに対応するＲＡＲであり、Ｍは、前記第１の通信デバイスと前記第２の通信デバイスとの間の通信のための複数のシステムパラメータ中の各システムパラメータのシステムフレーム中の時間単位の量の整数倍に等しい、処理モジュールと、
前記第１のＲＡＲの前記スクランブル値に従って前記第１のＲＡＲの時間ウィンドウ中で前記第１の通信デバイスに前記第１のＲＡＲを送信するように構成された送信モジュールであって、前記第１のＲＡＲの前記時間ウィンドウの長さは、Ｍ個の時間単位以下である、送信モジュールと
を備える通信デバイス。
【請求項２８】
前記送信モジュールは、前記第１の通信デバイスに前記第１のＲＡＲの前記時間ウィンドウの前記長さに関する情報を送信するようにさらに構成された、請求項２７に記載の通信デバイス。
【請求項２９】
前記時間単位は、前記第１の通信デバイスと前記第２の通信デバイスとの間でのデータ伝送のための時間間隔、またはスロットである請求項２７または２８に記載の通信デバイス。
【請求項３０】
前記処理モジュールは、インデックス番号ｉを有する前記時間単位と、前記第１の周波数領域リソースと、時間単位の前記量Ｍと、現在のシステムパラメータのシステムフレーム中の時間単位の量と、前記時間単位のうちの１つ中にあり前記第１のプリアンブルのものである候補周波数領域リソースの最大量と、前記第１の時間領域リソースが位置する第１のシステムフレームのインデックス番号とのうちの少なくとも１つに従って前記第１のＲＡＲの前記スクランブル値を決定するように特に構成された、請求項２７乃至２９のいずれか一項に記載の通信デバイス。
【請求項３１】
前記処理モジュールは、前記第２の通信デバイスによって、式１に従って前記第１のＲＡＲの前記スクランブル値を決定するように特に構成され、
式１は、以下の通りであり、
ＲＡ−ＲＮＴＩ＝１＋ｉ＋Ｎframe×ｆ＿ｉｄ＋Ｆmax×Ｎframe（ＳＦＮ＿ｉｄ  ｍｏｄ（Ｗmax／Ｎframe））
ここで、ＲＡ−ＲＮＴＩは、前記第１のＲＡＲの前記スクランブル値であり、ｉは、前記現在のシステムパラメータの前記第１の時間領域リソースに対応する前記第１の時間単位の前記インデックス番号を表し、Ｎframeは、前記現在のシステムパラメータのシステムフレーム中の時間単位の前記量を表し、Ｆmaxは、前記時間単位のうちの１つ中にあり、前記第１のプリアンブルのものである候補周波数領域リソースの前記最大量であり、ｆ＿ｉｄは、前記第１の周波数領域リソースに対応する候補周波数領域リソースのインデックス番号を表し、ＳＦＮ＿ｉｄは、前記第１の時間領域リソースが位置する前記第１のシステムフレームの前記インデックス番号を表し、Ｗmaxは、時間単位の前記量Ｍを表す、請求項３０に記載の通信デバイス。
【請求項３２】
前記第１のプリアンブルは、前記第１の通信デバイスに前記第２の通信デバイスによって送信される必要があるＫ個のプリアンブルのうちのいずれか１つであり、前記第１のプリアンブルは、前記プリアンブル中のＴ番目のプリアンブルであり、１≦Ｔ≦Ｋであり、前記第１の時間領域リソースに対応する前記第１の時間単位の前記インデックス番号はｉTであり、ｉTの値は、Ｔの値とともに変化し、前記第１の時間領域リソースは、（ｊT）番目の周波数領域リソースであり、
前記第１のＲＡＲの前記時間ウィンドウの開始時間単位は、前記プリアンブル中の第１のプリアンブルに対応する第１の時間単位のインデックス番号ｉ1に関係づけられ、ならびに／または
前記第１のＲＡＲの前記時間ウィンドウの終了時間単位は、前記プリアンブル中のＫ番目のプリアンブルに対応する第１の時間単位のインデックス番号ｉKに関係づけられる
請求項２７乃至３１のいずれか一項に記載の通信デバイス。
【請求項３３】
前記受信モジュールは、前記第１の通信デバイスからランダムアクセスメッセージ３を受信するようにさらに構成され、
前記処理モジュールは、前記ランダムアクセスメッセージ３に従って、前記Ｋ個のプリアンブル中の未送信のプリアンブルによって占有されたランダムアクセスリソースを解放し、または前記ランダムアクセスメッセージ３に従って、別の通信デバイスに前記Ｋ個のプリアンブル中の未送信のプリアンブルによって占有されたランダムアクセスリソースを割り当てるようにさらに構成された、請求項３２に記載の通信デバイス。
【請求項３４】
Ｍの値が８０である請求項２７乃至３３のいずれか一項に記載の通信デバイス。
【請求項３５】
トランシーバとプロセッサとを備えた通信デバイスであって、
前記トランシーバは、第２の通信デバイスに第１のプリアンブルを送信するように構成され、前記第１のプリアンブルは、第１の時間領域リソースと第１の周波数領域リソースとを占有し、前記第１の時間領域リソースに対応する第１の時間単位は、システムフレーム中でインデックス番号ｉを有する時間単位であり、
前記プロセッサは、インデックス番号ｉを有する前記時間単位と、前記第１の周波数領域リソースと、時間単位の量Ｍとに従って第１のランダムアクセス応答ＲＡＲのスクランブル値を決定するように構成され、前記第１のＲＡＲは、前記第１のプリアンブルに対応するＲＡＲであり、Ｍは、前記通信デバイスと前記第２の通信デバイスとの間の通信のための複数のシステムパラメータ中の各システムパラメータのシステムフレーム中の時間単位の量の整数倍に等しく、
前記トランシーバは、前記第１のＲＡＲの前記スクランブル値に従って前記第１のＲＡＲの時間ウィンドウ中で、前記第２の通信デバイスから前記第１のＲＡＲを受信するようにさらに構成され、前記第１のＲＡＲの前記時間ウィンドウの長さは、Ｍ個の時間単位以下である、通信デバイス。
【請求項３６】
トランシーバとプロセッサとを備えた通信デバイスであって、
前記トランシーバは第１の通信デバイスから第１のプリアンブルを受信するように構成され、前記第１のプリアンブルは、第１の時間領域リソースと第１の周波数領域リソースとを占有し、前記第１の時間領域リソースに対応する第１の時間単位は、システムフレーム中でインデックス番号ｉを有する時間単位であり、
前記プロセッサは、インデックス番号ｉを有する前記時間単位と、前記第１の周波数領域リソースと、時間単位の量Ｍとに従って第１のランダムアクセス応答ＲＡＲのスクランブル値を決定するように構成され、前記第１のＲＡＲは、前記第１のプリアンブルに対応するＲＡＲであり、Ｍは、前記第１の通信デバイスと第２の通信デバイスとの間の通信のための複数のシステムパラメータ中の各システムパラメータのシステムフレーム中の時間単位の量の整数倍に等しく、
前記トランシーバは前記第１のＲＡＲの前記スクランブル値に従って前記第１のＲＡＲの時間ウィンドウ中で前記第１の通信デバイスに前記第１のＲＡＲを送信するようにさらに構成され、前記第１のＲＡＲの前記時間ウィンドウの長さは、Ｍ個の時間単位以下である、
通信デバイス。
【請求項３７】
端末であって、前記端末はメモリと、１つまたは複数のプロセッサとを備え、前記メモリは前記１つまたは複数のプロセッサに結合され、前記１つまたは複数のプロセッサは請求項１乃至９のいずれか一項に記載の通信方法を実行するように構成された、端末。
【請求項３８】
ネットワークデバイスであって、前記ネットワークデバイスはメモリと、１つまたは複数のプロセッサとを備え、前記メモリは前記１つまたは複数のプロセッサに結合され、前記１つまたは複数のプロセッサは請求項１０乃至１７のいずれか一項に記載の通信方法を実行するように構成された、ネットワークデバイス。
【請求項３９】
命令を記憶したコンピュータ可読記憶媒体であって、前記命令がコンピュータデバイスまたはプロセッサにより実行されると、請求項１乃至９のいずれか一項に記載の通信方法が実施される、コンピュータ可読記憶媒体。
【請求項４０】
命令を記憶したコンピュータ可読記憶媒体であって、前記命令がコンピュータデバイスまたはプロセッサにより実行されると、請求項１０乃至１７のいずれか一項に記載の通信方法が実施される、コンピュータ可読記憶媒体。
【請求項４１】
プログラム製品であって、前記プログラム製品はコンピュータプログラムを含み、前記コンピュータプログラムは読み取り可能記憶媒体に記憶され、前記コンピュータプログラムは少なくとも１つのプロセッサにより実行され、その結果、通信デバイスは請求項１乃至９のいずれか一項に記載の通信方法を実施する、プログラム製品。
【請求項４２】
プログラム製品であって、前記プログラム製品はコンピュータプログラムを含み、前記コンピュータプログラムは読み取り可能記憶媒体に記憶され、前記コンピュータプログラムは少なくとも１つのプロセッサにより実行され、その結果、通信デバイスは請求項１０乃至１７のいずれか一項に記載の通信方法を実施する、プログラム製品。
【発明の詳細な説明】
【技術分野】
【０００１】
本出願の実施形態は、通信技術の分野に関し、特に、通信方法および通信デバイスに関する。
【背景技術】
【０００２】
本出願は、その全体が参照により本明細書に組み込まれる、「ＣＯＭＭＵＮＩＣＡＴＩＯＮ  ＭＥＴＨＯＤ  ＡＮＤ  ＣＯＭＭＵＮＩＣＡＴＩＯＮＳ  ＤＥＶＩＣＥ」と題する、２０１７年８月１０日に中国特許庁に出願された中国特許出願２０１７１０６８２５０２．０の優先権を主張する。
【０００３】
競合ベースのランダムアクセスは、発展型ノードＢ（ｅＮｏｄｅＢ、ｅＮＢ）が端末に専用リソースを割り当てない場合に端末によってランダムに開始されるランダムアクセスプロシージャである。端末は、ユーザ機器（Ｕｓｅｒ  Ｅｑｕｉｐｍｅｎｔ、ＵＥ）とも呼ばれる。競合ベースのランダムアクセスプロシージャは、以下の４つのステップで実装される。端末は、基地局にプリアンブル（Ｍｓｇ１）を送信し、基地局は、受信されたプリアンブルに従って端末にランダムアクセス応答（Ｒａｎｄｏｍ  Ａｃｃｅｓｓ  Ｒｅｓｐｏｎｓｅ、ＲＡＲ）（Ｍｓｇ２）を送信し、次いで、端末と基地局とは、アップリンクスケジューリング伝送を初めて実行し（言い換えれば、Ｍｓｇ３を伝送し）、最後に、基地局は、端末に競合解消（Ｍｓｇ４）をフィードバックする。具体的には、基地局によって端末にＲＡＲを送信するプロセスは、以下の通りである。基地局は、プリアンブルが送信されるＰＲＡＣＨ時間周波数リソースロケーションに従ってランダムアクセス無線ネットワーク一時識別子（Ｒａｎｄｏｍ  Ａｃｃｅｓｓ  Ｒａｄｉｏ  Ｎｅｔｗｏｒｋ  Ｔｅｍｐｏｒａｒｙ  Ｉｄｅｎｔｉｆｉｅｒ、ＲＡ−ＲＮＴＩ）を決定し、次いで、ＲＡ−ＲＮＴＩを使用してＲＡＲをスクランブルし、端末にスクランブルされたＲＡＲを送信する。相応して、端末は、端末がプリアンブルを送信するＰＲＡＣＨ時間周波数リソースロケーションに従ってＲＡ−ＲＮＴＩを決定し、次いで、ＲＡ−ＲＮＴＩに従ってＲＡＲを取得する。したがって、正しいＲＡＲを取得するために、端末は、基地局におけるＲＡ−ＲＮＴＩと同じであるＲＡ−ＲＮＴＩを取得する必要がある。現在、端末と基地局とは、ＰＲＡＣＨ時間周波数リソースロケーション、たとえば、サブフレーム番号またはシステムフレーム番号を表すために使用される絶対時間インデックスに主に従ってＲＡ−ＲＮＴＩを決定する。ＵＥが、異なるＲＡＣＨ伝送時点に複数のＲＡＣＨリソースの構成をサポートする場合、ＲＡＲ検出ウィンドウが終了する前に、ユーザ機器は、複数の構成されたＲＡＣＨ時間周波数リソースロケーションにプリアンブルを送信し得る。しかしながら、サブキャリア間隔が比較的大きい、たとえば、６０ｋＨｚであるとき、１つのサブフレームは、異なる伝送時点ではあるが同じ周波数領域ロケーションに複数のＲＡＣＨリソースを含み得る。このために、基地局と端末とがＲＡ−ＲＮＴＩを決定するとき、同じＲＡ−ＲＮＴＩは、同じサブフレーム中の異なるＲＡＣＨ時間周波数リソースロケーションに従って決定される。したがって、端末は、受信されたＲＡＲに対応するＲＡＣＨリソースを区別することができず、ＲＡＲ検出の多くのあいまいさを生じる。
【発明の概要】
【０００４】
本出願の実施形態は、ＲＡＲ検出精度を改善するための通信方法および通信デバイスを提供する。
【０００５】
第１の態様によれば、本出願の一実施形態は、通信方法であって、
第１の通信デバイスによって、第２の通信デバイスに第１のプリアンブルを送信するステップであって、第１のプリアンブルは、第１の時間領域リソースと第１の周波数領域リソースとを占有し、第１の時間領域リソースに対応する第１の時間単位は、ｉ番目の時間単位である、送信するステップと、
第１の通信デバイスによって、ｉ番目の時間単位と、第１の周波数領域リソースと、最大ＲＡＲ時間ウィンドウ長とに従って第１のＲＡＲのスクランブル値を決定するステップであって、第１のＲＡＲは、第１のプリアンブルに対応するＲＡＲであり、最大時間ウィンドウ長は、Ｍ個の時間単位を含み、Ｍは、第１の通信デバイスと第２の通信デバイスとの間の通信のための複数のシステムパラメータ中の各システムパラメータの１つのシステムフレーム中の時間単位の量の整数倍に等しい、決定するステップと、
第１のＲＡＲのスクランブル値に従ってＲＡＲの時間ウィンドウ中で第１の通信デバイスによって、第２の通信デバイスから第１のＲＡＲを受信するステップであって、ＲＡＲの時間ウィンドウの長さは、最大時間ウィンドウ長以下である、受信するステップと
を含む通信方法を提供する。
【０００６】
可能な設計では、本方法は、
第１の通信デバイスによって、ＲＡＲの時間ウィンドウの長さに関する情報を第２の通信デバイスから受信するステップ
をさらに含む。
【０００７】
可能な設計では、時間単位は、第１の通信デバイスと第２の通信デバイスとの間でのデータ伝送のための時間間隔、またはスロットである。
【０００８】
可能な設計では、第１の通信デバイスによって、ｉ番目の時間単位と、第１の周波数領域リソースと、最大ＲＡＲ時間ウィンドウ長とに従って第１のＲＡＲのスクランブル値を決定するステップは、
第１の通信デバイスによって、ｉ番目の時間単位のインデックス番号と、第１の周波数領域リソースと、最大時間ウィンドウ長と、現在のシステムパラメータのシステムフレーム中の時間単位の量と、時間単位のうちの１つ中にあり第１のプリアンブルのものである候補周波数領域リソースの最大量と、第１の時間領域リソースが位置する第１のシステムフレームのインデックス番号とのうちの少なくとも１つに従って第１のＲＡＲのスクランブル値を決定するステップ
を含む。
【０００９】
可能な設計では、第１の通信デバイスによって、ｉ番目の時間単位のインデックス番号と、第１の周波数領域リソースと、最大時間ウィンドウ長と、現在のシステムパラメータのシステムフレーム中の時間単位の量と、時間単位のうちの１つ中にあり第１のプリアンブルのものである候補周波数領域リソースの最大量と、第１の時間領域リソースが位置する第１のシステムフレームのインデックス番号とのうちの少なくとも１つに従って第１のＲＡＲのスクランブル値を決定するステップは、
第１の通信デバイスによって、式１に従って第１のＲＡＲのスクランブル値を決定するステップであって、
式１は、以下の通りであり、
ＲＡ−ＲＮＴＩ＝１＋ｉ＋Ｎframe×ｆ＿ｉｄ＋Ｆmax×Ｎframe（ＳＦＮ＿ｉｄ  ｍｏｄ（Ｗmax／Ｎframe））
ここで、ＲＡ−ＲＮＴＩは、第１のＲＡＲのスクランブル値であり、ｉは、現在のシステムパラメータの第１の時間領域リソースに対応する第１の時間単位のインデックス番号を表し、Ｎframeは、現在のシステムパラメータのシステムフレーム中の時間単位の量を表し、Ｆmaxは、時間単位のうちの１つ中にあり、第１のプリアンブルのものである候補周波数領域リソースの最大量であり、ｆ＿ｉｄは、第１の周波数領域リソースに対応する候補周波数領域リソースのインデックス番号を表し、ＳＦＮ＿ｉｄは、第１の時間領域リソースが位置する第１のシステムフレームのインデックス番号を表し、Ｗmaxは、最大時間ウィンドウ長を表す、
決定するステップ
を含む。
【００１０】
可能な設計では、第１の通信デバイスによって、ｉ番目の時間単位と、第１の周波数領域リソースと、最大ＲＡＲ時間ウィンドウ長とに従って第１のＲＡＲのスクランブル値を決定するステップは、
第１の通信デバイスによって、ｉ番目の時間単位のインデックス番号と、第１の周波数領域リソースと、最大時間ウィンドウ長と、時間単位のうちの１つ中にあり第１のプリアンブルのものである候補周波数領域リソースの最大量と、基準システムパラメータのシステムフレーム中の時間単位の量と、基準システムパラメータのサブキャリア間隔値と、現在のシステムパラメータのサブキャリア間隔値と、現在のシステムパラメータのシステムフレーム中の時間単位の量と、第１の時間領域リソースが位置する第１のシステムフレームのインデックス番号とのうちの少なくとも１つに従って第１のＲＡＲのスクランブル値を決定するステップ
を含む。
【００１１】
可能な設計では、第１の通信デバイスによって、ｉ番目の時間単位のインデックス番号と、第１の周波数領域リソースと、最大ＲＡＲ時間ウィンドウ長と、時間単位のうちの１つ中にあり第１のプリアンブルのものである候補周波数領域リソースの最大量と、基準システムパラメータのシステムフレーム中の時間単位の量と、基準システムパラメータのサブキャリア間隔値と、現在のシステムパラメータのサブキャリア間隔値と、現在のシステムパラメータのシステムフレーム中に含まれる時間単位の量と、第１の時間領域リソースが位置する第１のシステムフレームのインデックス番号とのうちの少なくとも１つに従って第１のＲＡＲのスクランブル値を決定するステップは、
第１の通信デバイスによって、式２に従って第１のＲＡＲのスクランブル値を決定するステップであって、
式２は、以下の通りであり、
ＲＡ−ＲＮＴＩ＝１＋ｉ＋Ｓreference×ＮSCS／Ｎreference×ｆ＿ｉｄ＋Ｆmax×Ｓreference（ＳＦＮ＿ｉｄ  ｍｏｄ（Ｗmax／Ｎframe））
ここで、ＲＡ−ＲＮＴＩは、第１のＲＡＲのスクランブル値であり、ｉは、現在のシステムパラメータの第１の時間領域リソースに対応する第１の時間単位のインデックス番号を表し、Ｓreferenceは、基準システムパラメータのシステムフレーム中の時間単位の量を表し、Ｎreferenceは、基準システムパラメータのサブキャリア間隔値を表し、ＮSCSは、現在のシステムパラメータのサブキャリア間隔値を表し、Ｎframeは、現在のシステムパラメータのシステムフレーム中の時間単位の量を表し、ｆ＿ｉｄは、第１の周波数領域リソースに対応する候補周波数領域リソースのインデックス番号を表し、Ｆmaxは、時間単位のうちの１つ中にあり、第１のプリアンブルのものである候補周波数領域リソースの最大量であり、ＳＦＮ＿ｉｄは、第１の時間領域リソースが位置する第１のシステムフレームのインデックス番号を表し、Ｗmaxは、最大時間ウィンドウ長を表す、
決定するステップ
を含む。
【００１２】
可能な設計では、第１のプリアンブルは、第２の通信デバイスに第１の通信デバイスによって送信される必要があるＫ個のプリアンブルのうちのいずれか１つであり、第１のプリアンブルは、プリアンブル中のＴ番目のプリアンブルであり、１≦Ｔ≦Ｋであり、第１の時間領域リソースに対応する第１の時間単位のインデックス番号はｉTであり、ｉTの値は、Ｔの値とともに変化し、第１の周波数領域リソースは、（ｊT）番目の周波数領域リソースであり、
ＲＡＲの時間ウィンドウの開始時間単位は、プリアンブル中の第１のプリアンブルに対応する第１の時間単位のインデックス番号ｉ1に関係づけられ、ならびに／または
ＲＡＲの時間ウィンドウの終了時間単位は、プリアンブル中のＫ番目のプリアンブルに対応する第１の時間単位のインデックス番号ｉKに関係づけられる。
【００１３】
可能な設計では、本方法は、
第１の通信デバイスが第１のＲＡＲのスクランブル値に従って第１のＲＡＲを正常に受信した場合、第１の通信デバイスによって、第２の通信デバイスにランダムアクセスメッセージ３を送信するステップと、第２の通信デバイスにＫ個のプリアンブル中の未送信のプリアンブルを送信するのを止めるステップと
をさらに含む。
【００１４】
第２の態様によれば、本出願の一実施形態は、通信方法であって、
第２の通信デバイスによって、第１の通信デバイスから第１のプリアンブルを受信するステップであって、第１のプリアンブルは、第１の時間領域リソースと第１の周波数領域リソースとを占有し、第１の時間領域リソースに対応する第１の時間単位は、ｉ番目の時間単位である、受信するステップと、
第２の通信デバイスによって、ｉ番目の時間単位と、第１の周波数領域リソースと、最大ＲＡＲ時間ウィンドウ長とに従って第１のＲＡＲのスクランブル値を決定するステップであって、第１のＲＡＲは、第１のプリアンブルに対応するＲＡＲであり、最大時間ウィンドウ長は、Ｍ個の時間単位を含み、Ｍは、第１の通信デバイスと第２の通信デバイスとの間の通信のための複数のシステムパラメータ中の各システムパラメータのシステムフレーム中の時間単位の量の整数倍に等しい、決定するステップと、
第２の通信デバイスによって、第１のＲＡＲのスクランブル値に従ってＲＡＲの時間ウィンドウ中で第１の通信デバイスに第１のＲＡＲを送信するステップであって、ＲＡＲの時間ウィンドウの長さは、最大時間ウィンドウ長以下である、送信するステップと
を含む通信方法を提供する。
【００１５】
可能な設計では、本方法は、
第２の通信デバイスによって、第１の通信デバイスにＲＡＲの時間ウィンドウの長さに関する情報を送信するステップ
をさらに含む。
【００１６】
可能な設計では、時間単位は、第１の通信デバイスと第２の通信デバイスとの間でのデータ伝送のための時間間隔、またはスロットである。
【００１７】
可能な設計では、第２の通信デバイスによって、ｉ番目の時間単位と、第１の周波数領域リソースと、最大ＲＡＲ時間ウィンドウ長とに従って第１のＲＡＲのスクランブル値を決定するステップは、
第２の通信デバイスによって、ｉ番目の時間単位のインデックス番号と、第１の周波数領域リソースと、最大時間ウィンドウ長と、現在のシステムパラメータのシステムフレーム中の時間単位の量と、時間単位のうちの１つ中にあり第１のプリアンブルのものである候補周波数領域リソースの最大量と、第１の時間領域リソースが位置する第１のシステムフレームのインデックス番号とのうちの少なくとも１つに従って第１のＲＡＲのスクランブル値を決定するステップ
を含む。
【００１８】
可能な設計では、第２の通信デバイスによって、ｉ番目の時間単位のインデックス番号と、第１の周波数領域リソースと、最大時間ウィンドウ長と、現在のシステムパラメータのシステムフレーム中の時間単位の量と、時間単位のうちの１つ中にあり第１のプリアンブルのものである候補周波数領域リソースの最大量と、第１の時間領域リソースが位置する第１のシステムフレームのインデックス番号とのうちの少なくとも１つに従って第１のＲＡＲのスクランブル値を決定するステップは、
第２の通信デバイスによって、式１に従って第１のＲＡＲのスクランブル値を決定するステップであって、
式１は、以下の通りであり、
ＲＡ−ＲＮＴＩ＝１＋ｉ＋Ｎframe×ｆ＿ｉｄ＋Ｆmax×Ｎframe（ＳＦＮ＿ｉｄ  ｍｏｄ（Ｗmax／Ｎframe））
ここで、ＲＡ−ＲＮＴＩは、第１のＲＡＲのスクランブル値であり、ｉは、現在のシステムパラメータの第１の時間領域リソースに対応する第１の時間単位のインデックス番号を表し、Ｎframeは、現在のシステムパラメータのシステムフレーム中の時間単位の量を表し、Ｆmaxは、時間単位のうちの１つ中にあり、第１のプリアンブルのものである候補周波数領域リソースの最大量であり、ｆ＿ｉｄは、第１の周波数領域リソースに対応する候補周波数領域リソースのインデックス番号を表し、ＳＦＮ＿ｉｄは、第１の時間領域リソースが位置する第１のシステムフレームのインデックス番号を表し、Ｗmaxは、最大時間ウィンドウ長を表す、
決定するステップ
を含む。
【００１９】
可能な設計では、第２の通信デバイスによって、ｉ番目の時間単位と、第１の周波数領域リソースと、最大ＲＡＲ時間ウィンドウ長とに従って第１のＲＡＲのスクランブル値を決定するステップは、
第２の通信デバイスによって、ｉ番目の時間単位のインデックス番号と、第１の周波数領域リソースと、最大時間ウィンドウ長と、時間単位のうちの１つ中にあり第１のプリアンブルのものである候補周波数領域リソースの最大量と、基準システムパラメータのシステムフレーム中の時間単位の量と、基準システムパラメータのサブキャリア間隔値と、現在のシステムパラメータのサブキャリア間隔値と、現在のシステムパラメータのシステムフレーム中の時間単位の量と、第１の時間領域リソースが位置する第１のシステムフレームのインデックス番号とのうちの少なくとも１つに従って第１のＲＡＲのスクランブル値を決定するステップ
を含む。
【００２０】
可能な設計では、第２の通信デバイスによって、ｉ番目の時間単位のインデックス番号と、第１の周波数領域リソースと、最大時間ウィンドウ長と、時間単位のうちの１つ中にあり第１のプリアンブルのものである候補周波数領域リソースの最大量と、基準システムパラメータのシステムフレーム中の時間単位の量と、基準システムパラメータのサブキャリア間隔値と、現在のシステムパラメータのサブキャリア間隔値と、現在のシステムパラメータのシステムフレーム中の時間単位の量と、第１の時間領域リソースが位置する第１のシステムフレームのインデックス番号とのうちの少なくとも１つに従って第１のＲＡＲのスクランブル値を決定するステップは、
第２の通信デバイスによって、式２に従って第１のＲＡＲのスクランブル値を決定するステップであって、
式２は、以下の通りであり、
ＲＡ−ＲＮＴＩ＝１＋ｉ＋Ｓreference×ＮSCS／Ｎreference×ｆ＿ｉｄ＋Ｆmax×Ｓreference（ＳＦＮ＿ｉｄ  ｍｏｄ（Ｗmax／Ｎframe））
ここで、ＲＡ−ＲＮＴＩは、第１のＲＡＲのスクランブル値であり、ｉは、現在のシステムパラメータの第１の時間領域リソースに対応する第１の時間単位のインデックス番号を表し、Ｓreferenceは、基準システムパラメータのシステムフレーム中の時間単位の量を表し、Ｎreferenceは、基準システムパラメータのサブキャリア間隔値を表し、ＮSCSは、現在のシステムパラメータのサブキャリア間隔値を表し、Ｎframeは、現在のシステムパラメータのシステムフレーム中に含まれる時間単位の量を表し、ｆ＿ｉｄは、第１の周波数領域リソースに対応する候補周波数領域リソースのインデックス番号を表し、Ｆmaxは、時間単位のうちの１つ中にあり、第１のプリアンブルのものである候補周波数領域リソースの最大量であり、ＳＦＮ＿ｉｄは、第１の時間領域リソースが位置する第１のシステムフレームのインデックス番号を表し、Ｗmaxは、最大時間ウィンドウ長を表す、
決定するステップ
を含む。
【００２１】
可能な設計では、第１のプリアンブルは、第１の通信デバイスに第２の通信デバイスによって送信される必要があるＫ個のプリアンブルのうちのいずれか１つであり、第１のプリアンブルは、プリアンブル中のＴ番目のプリアンブルであり、１≦Ｔ≦Ｋであり、第１の時間領域リソースに対応する第１の時間単位のインデックス番号はｉTであり、ｉTの値は、Ｔの値とともに変化し、第１の時間領域リソースは、（ｊT）番目の周波数領域リソースであり、
ＲＡＲの時間ウィンドウの開始時間単位は、プリアンブル中の第１のプリアンブルに対応する第１の時間単位のインデックス番号ｉ1に関係づけられ、ならびに／または
ＲＡＲの時間ウィンドウの終了時間単位は、プリアンブル中のＫ番目のプリアンブルに対応する第１の時間単位のインデックス番号ｉKに関係づけられる。
【００２２】
可能な設計では、本方法は、
第２の通信デバイスによって、第１の通信デバイスからランダムアクセスメッセージ３を受信するステップと、
ランダムアクセスメッセージ３に従って第２の通信デバイスによって、Ｋ個のプリアンブル中の未送信のプリアンブルによって占有されたランダムアクセスリソースを解放するステップ、またはランダムアクセスメッセージ３に従って第２の通信デバイスによって、別の通信デバイスにＫ個のプリアンブル中の未送信のプリアンブルによって占有されたランダムアクセスリソースを割り当てるステップと
をさらに含む。
【００２３】
第３の態様によれば、本出願の一実施形態は、第１の通信デバイスとして使用される通信デバイスであって、第２の通信デバイスに第１のプリアンブルを送信するように構成された送信モジュールであって、第１のプリアンブルは、第１の時間領域リソースと第１の周波数領域リソースとを占有し、第１の時間領域リソースに対応する第１の時間単位は、ｉ番目の時間単位である、送信モジュールと、
ｉ番目の時間単位と、第１の周波数領域リソースと、最大ＲＡＲ時間ウィンドウ長とに従って第１のＲＡＲのスクランブル値を決定するように構成された処理モジュールであって、第１のＲＡＲは、第１のプリアンブルに対応するＲＡＲであり、最大時間ウィンドウ長は、Ｍ個の時間単位を含み、Ｍは、第１の通信デバイスと第２の通信デバイスとの間の通信のための複数のシステムパラメータ中の各システムパラメータのシステムフレーム中の時間単位の量の整数倍に等しい、処理モジュールと、
第１のＲＡＲのスクランブル値に従ってＲＡＲの時間ウィンドウ中で、第２の通信デバイスから第１のＲＡＲを受信するように構成された受信モジュールであって、ＲＡＲの時間ウィンドウの長さは、最大時間ウィンドウ長以下である、受信モジュールと
を含む通信デバイスを提供する。
【００２４】
可能な設計では、受信モジュールは、ＲＡＲの時間ウィンドウの長さに関する情報を第２の通信デバイスから受信するようにさらに構成される。
【００２５】
可能な設計では、時間単位は、第１の通信デバイスと第２の通信デバイスとの間でのデータ伝送のための時間間隔、またはスロットである。
【００２６】
可能な設計では、処理モジュールは、ｉ番目の時間単位のインデックス番号と、第１の周波数領域リソースと、最大時間ウィンドウ長と、現在のシステムパラメータのシステムフレーム中の時間単位の量と、時間単位のうちの１つ中にあり第１のプリアンブルのものである候補周波数領域リソースの最大量と、第１の時間領域リソースが位置する第１のシステムフレームのインデックス番号とのうちの少なくとも１つに従って第１のＲＡＲのスクランブル値を決定するように特に構成される。
【００２７】
可能な設計では、処理モジュールは、式１に従って第１のＲＡＲのスクランブル値を決定することであって、
式１は、以下の通りであり、
ＲＡ−ＲＮＴＩ＝１＋ｉ＋Ｎframe×ｆ＿ｉｄ＋Ｆmax×Ｎframe（ＳＦＮ＿ｉｄ  ｍｏｄ（Ｗmax／Ｎframe））
ここで、ＲＡ−ＲＮＴＩは、第１のＲＡＲのスクランブル値であり、ｉは、現在のシステムパラメータの第１の時間領域リソースに対応する第１の時間単位のインデックス番号を表し、Ｎframeは、現在のシステムパラメータのシステムフレーム中の時間単位の量を表し、Ｆmaxは、時間単位のうちの１つ中にあり、第１のプリアンブルのものである候補周波数領域リソースの最大量であり、ｆ＿ｉｄは、第１の周波数領域リソースに対応する候補周波数領域リソースのインデックス番号を表し、ＳＦＮ＿ｉｄは、第１の時間領域リソースが位置する第１のシステムフレームのインデックス番号を表し、Ｗmaxは、最大時間ウィンドウ長を表す、
決定すること
を行うように特に構成される。
【００２８】
可能な設計では、処理モジュールは、ｉ番目の時間単位のインデックス番号と、第１の周波数領域リソースと、最大時間ウィンドウ長と、時間単位のうちの１つ中にあり第１のプリアンブルのものである候補周波数領域リソースの最大量と、基準システムパラメータのシステムフレーム中の時間単位の量と、基準システムパラメータのサブキャリア間隔値と、現在のシステムパラメータのサブキャリア間隔値と、現在のシステムパラメータのシステムフレーム中の時間単位の量と、第１の時間領域リソースが位置する第１のシステムフレームのインデックス番号とのうちの少なくとも１つに従って第１のＲＡＲのスクランブル値を決定するように特に構成される。
【００２９】
可能な設計では、処理モジュールは、式２に従って第１のＲＡＲのスクランブル値を決定することであって、
式２は、以下の通りであり、
ＲＡ−ＲＮＴＩ＝１＋ｉ＋Ｓreference×ＮSCS／Ｎreference×ｆ＿ｉｄ＋Ｆmax×Ｓreference（ＳＦＮ＿ｉｄ  ｍｏｄ（Ｗmax／Ｎframe））
ここで、ＲＡ−ＲＮＴＩは、第１のＲＡＲのスクランブル値であり、ｉは、現在のシステムパラメータの第１の時間領域リソースに対応する第１の時間単位のインデックス番号を表し、Ｓreferenceは、基準システムパラメータのシステムフレーム中の時間単位の量を表し、Ｎreferenceは、基準システムパラメータのサブキャリア間隔値を表し、ＮSCSは、現在のシステムパラメータのサブキャリア間隔値を表し、Ｎframeは、現在のシステムパラメータのシステムフレーム中の時間単位の量を表し、ｆ＿ｉｄは、第１の周波数領域リソースに対応する候補周波数領域リソースのインデックス番号を表し、Ｆmaxは、時間単位のうちの１つ中にあり、第１のプリアンブルのものである候補周波数領域リソースの最大量であり、ＳＦＮ＿ｉｄは、第１の時間領域リソースが位置する第１のシステムフレームのインデックス番号を表し、Ｗmaxは、最大時間ウィンドウ長を表す、
決定すること
を行うように特に構成される。
【００３０】
可能な設計では、第１のプリアンブルは、第２の通信デバイスに第１の通信デバイスによって送信される必要があるＫ個のプリアンブルのうちのいずれか１つであり、第１のプリアンブルは、プリアンブル中のＴ番目のプリアンブルであり、１≦Ｔ≦Ｋであり、第１の時間領域リソースに対応する第１の時間単位のインデックス番号はｉTであり、ｉTの値は、Ｔの値とともに変化し、第１の周波数領域リソースは、（ｊT）番目の周波数領域リソースであり、
ＲＡＲの時間ウィンドウの開始時間単位は、プリアンブル中の第１のプリアンブルに対応する第１の時間単位のインデックス番号ｉ1に関係づけられ、ならびに／または
ＲＡＲの時間ウィンドウの終了時間単位は、プリアンブル中のＫ番目のプリアンブルに対応する第１の時間単位のインデックス番号ｉKに関係づけられる。
【００３１】
可能な設計では、送信モジュールは、受信モジュールが第１のＲＡＲのスクランブル値に従って第１のＲＡＲを正常に受信した場合、第２の通信デバイスにランダムアクセスメッセージ３を送信することと、第２の通信デバイスにＫ個のプリアンブル中の未送信のプリアンブルを送信するのを止めることとを行うようにさらに構成される。
【００３２】
第３の態様における通信デバイスが端末または端末中のチップであり得ることに留意されたい。
【００３３】
第４の態様によれば、本出願の一実施形態は、第２の通信デバイスとして使用される通信デバイスであって、
第１の通信デバイスから第１のプリアンブルを受信するように構成された受信モジュールであって、第１のプリアンブルは、第１の時間領域リソースと第１の周波数領域リソースとを占有し、第１の時間領域リソースに対応する第１の時間単位は、ｉ番目の時間単位である、受信モジュールと、
ｉ番目の時間単位と、第１の周波数領域リソースと、最大ＲＡＲ時間ウィンドウ長とに従って第１のＲＡＲのスクランブル値を決定するように構成された処理モジュールであって、第１のＲＡＲは、第１のプリアンブルに対応するＲＡＲであり、最大時間ウィンドウ長は、Ｍ個の時間単位を含み、Ｍは、第１の通信デバイスと第２の通信デバイスとの間の通信のための複数のシステムパラメータ中の各システムパラメータのシステムフレーム中の時間単位の量の整数倍に等しい、処理モジュールと、
第１のＲＡＲのスクランブル値に従ってＲＡＲの時間ウィンドウ中で第１の通信デバイスに第１のＲＡＲを送信するように構成された送信モジュールであって、ＲＡＲの時間ウィンドウの長さは、最大時間ウィンドウ長以下である、送信モジュールと
を含む通信デバイスを提供する。
【００３４】
可能な設計では、送信モジュールは、第１の通信デバイスにＲＡＲの時間ウィンドウの長さに関する情報を送信するようにさらに構成される。
【００３５】
可能な設計では、時間単位は、第１の通信デバイスと第２の通信デバイスとの間でのデータ伝送のための時間間隔、またはスロットである。
【００３６】
可能な設計では、処理モジュールは、ｉ番目の時間単位のインデックス番号と、第１の周波数領域リソースと、最大時間ウィンドウ長と、現在のシステムパラメータのシステムフレーム中の時間単位の量と、時間単位のうちの１つ中にあり第１のプリアンブルのものである候補周波数領域リソースの最大量と、第１の時間領域リソースが位置する第１のシステムフレームのインデックス番号とのうちの少なくとも１つに従って第１のＲＡＲのスクランブル値を決定するように特に構成される。
【００３７】
可能な設計では、処理モジュールは、式１に従って第１のＲＡＲのスクランブル値を決定することであって、
式１は、以下の通りであり、
ＲＡ−ＲＮＴＩ＝１＋ｉ＋Ｎframe×ｆ＿ｉｄ＋Ｆmax×Ｎframe（ＳＦＮ＿ｉｄ  ｍｏｄ（Ｗmax／Ｎframe））
ここで、ＲＡ−ＲＮＴＩは、第１のＲＡＲのスクランブル値であり、ｉは、現在のシステムパラメータの第１の時間領域リソースに対応する第１の時間単位のインデックス番号を表し、Ｎframeは、現在のシステムパラメータのシステムフレーム中の時間単位の量を表し、Ｆmaxは、時間単位のうちの１つ中にあり、第１のプリアンブルのものである候補周波数領域リソースの最大量であり、ｆ＿ｉｄは、第１の周波数領域リソースに対応する候補周波数領域リソースのインデックス番号を表し、ＳＦＮ＿ｉｄは、第１の時間領域リソースが位置する第１のシステムフレームのインデックス番号を表し、Ｗmaxは、最大時間ウィンドウ長を表す、
決定すること
を行うように特に構成される。
【００３８】
可能な設計では、処理モジュールは、ｉ番目の時間単位のインデックス番号と、第１の周波数領域リソースと、最大時間ウィンドウ長と、時間単位のうちの１つ中にあり第１のプリアンブルのものである候補周波数領域リソースの最大量と、基準システムパラメータのシステムフレーム中の時間単位の量と、基準システムパラメータのサブキャリア間隔値と、現在のシステムパラメータのサブキャリア間隔値と、現在のシステムパラメータのシステムフレーム中の時間単位の量と、第１の時間領域リソースが位置する第１のシステムフレームのインデックス番号とのうちの少なくとも１つに従って第１のＲＡＲのスクランブル値を決定するように特に構成される。
【００３９】
可能な設計では、処理モジュールは、式２に従って第１のＲＡＲのスクランブル値を決定することであって、
式２は、以下の通りであり、
ＲＡ−ＲＮＴＩ＝１＋ｉ＋Ｓreference×ＮSCS／Ｎreference×ｆ＿ｉｄ＋Ｆmax×Ｓreference（ＳＦＮ＿ｉｄ  ｍｏｄ（Ｗmax／Ｎframe））
ここで、ＲＡ−ＲＮＴＩは、第１のＲＡＲのスクランブル値であり、ｉは、現在のシステムパラメータの第１の時間領域リソースに対応する第１の時間単位のインデックス番号を表し、Ｓreferenceは、基準システムパラメータのシステムフレーム中の時間単位の量を表し、Ｎreferenceは、基準システムパラメータのサブキャリア間隔値を表し、ＮSCSは、現在のシステムパラメータのサブキャリア間隔値を表し、Ｎframeは、現在のシステムパラメータのシステムフレーム中の時間単位の量を表し、ｆ＿ｉｄは、第１の周波数領域リソースに対応する候補周波数領域リソースのインデックス番号を表し、Ｆmaxは、時間単位のうちの１つ中にあり、第１のプリアンブルのものである候補周波数領域リソースの最大量であり、ＳＦＮ＿ｉｄは、第１の時間領域リソースが位置する第１のシステムフレームのインデックス番号を表し、Ｗmaxは、最大時間ウィンドウ長を表す、
決定すること
を行うように特に構成される。
【００４０】
可能な設計では、第１のプリアンブルは、第１の通信デバイスに第２の通信デバイスによって送信される必要があるＫ個のプリアンブルのうちのいずれか１つであり、第１のプリアンブルは、プリアンブル中のＴ番目のプリアンブルであり、１≦Ｔ≦Ｋであり、第１の時間領域リソースに対応する第１の時間単位のインデックス番号はｉTであり、ｉTの値は、Ｔの値とともに変化し、第１の時間領域リソースは、（ｊT）番目の周波数領域リソースであり、
ＲＡＲの時間ウィンドウの開始時間単位は、プリアンブル中の第１のプリアンブルに対応する第１の時間単位のインデックス番号ｉ1に関係づけられ、ならびに／または
ＲＡＲの時間ウィンドウの終了時間単位は、プリアンブル中のＫ番目のプリアンブルに対応する第１の時間単位のインデックス番号ｉKに関係づけられる。
【００４１】
可能な設計では、受信モジュールは、第１の通信デバイスからランダムアクセスメッセージ３を受信するようにさらに構成され、
処理モジュールは、ランダムアクセスメッセージ３に従って、Ｋ個のプリアンブル中の未送信のプリアンブルによって占有されたランダムアクセスリソースを解放すること、または別の通信デバイスにＫ個のプリアンブル中の未送信のプリアンブルによって占有されたランダムアクセスリソースを割り当てることを行うようにさらに構成される。
【００４２】
第４の態様における通信デバイスがネットワークデバイスまたはネットワークデバイス中のチップであり得ることに留意されたい。
【００４３】
第５の態様によれば、本出願の一実施形態は、第１の通信デバイスとして使用される通信デバイスであって、プロセッサとトランシーバとを含み、プロセッサとトランシーバとは、第１の態様における本出願の任意の実施形態による通信方法を実行するように構成される、通信デバイスを提供する。
【００４４】
第６の態様によれば、本出願の一実施形態は、第２の通信デバイスとして使用される通信デバイスであって、プロセッサとトランシーバとを含み、プロセッサとトランシーバとは、第２の態様における本出願の任意の実施形態による通信方法を実行するように構成される、通信デバイスを提供する。
【００４５】
第７の態様によれば、本出願の一実施形態は、可読記憶媒体とコンピュータプログラムとを含む記憶媒体であって、コンピュータプログラムは、本出願の第１の態様による通信方法を実装するように構成される、記憶媒体を提供する。
【００４６】
第８の態様によれば、本出願の一実施形態は、可読記憶媒体とコンピュータプログラムとを含む記憶媒体であって、コンピュータプログラムは、本出願の第２の態様による通信方法を実装するように構成される、記憶媒体を提供する。
【００４７】
第９の態様によれば、本出願の一実施形態は、プログラム製品を提供する。プログラム製品は、コンピュータプログラムを含み、コンピュータプログラムは、可読記憶媒体中に記憶され、第１の通信デバイスの少なくとも１つのプロセッサは、可読記憶媒体からコンピュータプログラムを読み取り得、少なくとも１つのプロセッサは、通信デバイスが本出願の第１の態様による通信方法を実装するようにコンピュータプログラムを実行する。
【００４８】
第１０の態様によれば、本出願の一実施形態は、プログラム製品を提供する。プログラム製品は、コンピュータプログラムを含み、コンピュータプログラムは、可読記憶媒体中に記憶され、第２の通信デバイスの少なくとも１つのプロセッサは、可読記憶媒体からコンピュータプログラムを読み取り得、少なくとも１つのプロセッサは、通信デバイスが本出願の第２の態様による通信方法を実装するようにコンピュータプログラムを実行する。
【００４９】
本出願の実施形態は、通信方法および通信デバイスを提供する。端末がネットワークデバイスに第１のプリアンブルを送った後、端末とネットワークデバイスとの両方は、ｉ番目の時間単位と、第１の周波数領域リソースと、最大ＲＡＲ時間ウィンドウ長とに従って第１のＲＡＲのスクランブル値を決定し、第１の時間領域リソースに対応する第１の時間単位は、ｉ番目の時間単位であり、最大時間ウィンドウ長は、Ｍ個の時間単位を含み、Ｍは、端末とネットワークデバイスとの間での通信のための複数のシステムパラメータ中の各システムパラメータのシステムフレーム中の時間単位の量の整数倍に等しく、言い換えれば、複数の異なるシステムパラメータは、同じ最大時間ウィンドウ長値を使用する。本明細書では、異なるシステムパラメータに対応する時間単位が測定単位として使用されるとき、最大時間ウィンドウ長の値は同じになる。しかしながら、異なるシステムパラメータの最大時間ウィンドウ長の絶対持続時間は変化し得る。したがって、端末がネットワークデバイスに複数のシステムパラメータのプリアンブルを送信する場合であっても、端末は、これらの異なるプリアンブルのためのＲＡＲの異なるスクランブル値を決定する。したがって、異なるスクランブル値に従ってＲＡＲを正しく受信した後に、端末は、ＲＡＲに対応するプリアンブルとＲＡＣＨリソースとを正確に区別することができ、それによって、ＲＡＲ検出精度を改善する。
【図面の簡単な説明】
【００５０】
【図１】本出願の一実施形態による、通信システムの概略図である。
【図２】本出願の一実施形態による、通信方法の流れ図である。
【図３】本出願の別の実施形態による、通信方法の流れ図である。
【図４】本出願の一実施形態による、ＲＡＲの時間ウィンドウの概略図である。
【図５】本出願の一実施形態による、通信デバイスの概略構造図である。
【図６】本出願の一実施形態による、端末の概略構造図である。
【図７】本出願の別の実施形態による、通信デバイスの概略構造図である。
【図８】本出願の一実施形態による、ネットワークデバイスの概略構造図である。
【発明を実施するための形態】
【００５１】
図１は、本出願の一実施形態による、通信システムの概略図である。図１に示すように、通信システムは、ネットワークデバイスと少なくとも１つの端末とを含む。ネットワークデバイスと少なくとも１つの端末とは、本出願の以下の実施形態で提供される技術的解決策に従って互いに通信する。
【００５２】
以下では、当業者がより良い理解を有するのを助けるために本出願におけるいくつかの用語について説明する。
【００５３】
無線アクセスネットワーク（Ｒａｄｉｏ  Ａｃｃｅｓｓ  Ｎｅｔｗｏｒｋ、ＲＡＮ）デバイスとも呼ばれるネットワークデバイスは、ワイヤレスネットワークに端末を接続するデバイスであり、ロングタームエボリューション（Ｌｏｎｇ  Ｔｅｒｍ  Ｅｖｏｌｕｔｉｏｎ、ＬＴＥ）における発展型ノードＢ（Ｅｖｏｌｕｔｉｏｎａｌ  Ｎｏｄｅ  Ｂ、ｅＮＢまたはｅノードＢ）、中継局もしくはアクセスポイント、または送信受信ポイント（Ｔｒａｎｓｍｉｓｓｉｏｎ  ａｎｄ  Ｒｅｃｅｐｔｉｏｎ  Ｐｏｉｎｔ、ＴＲＰ）などの５Ｇネットワークにおける基地局、またはコントローラであり得る。本明細書では、限定を課さない。
【００５４】
端末は、ワイヤレス端末であり得るか、またはワイヤード端末であり得る。ワイヤレス端末は、ワイヤレストランシーバ機能を有するデバイスであり得、陸（たとえば、屋内もしくは屋外デバイス、ハンドヘルドデバイス、または車載デバイス）上に展開され得るか、または水（たとえば、船舶）上に展開され得るか、または空（たとえば、飛行機、バルーン、または衛星）中に展開され得る。端末は、モバイルフォン（ｍｏｂｉｌｅ  ｐｈｏｎｅ）、タブレットコンピュータ（パッド）、ワイヤレストランシーバ機能を有するコンピュータ、バーチャルリアリティ（Ｖｉｒｔｕａｌ  Ｒｅａｌｉｔｙ、ＶＲ）端末、拡張現実（Ａｕｇｍｅｎｔｅｄ  Ｒｅａｌｉｔｙ、ＡＲ）端末、産業制御（ｉｎｄｕｓｔｒｉａｌ  ｃｏｎｔｒｏｌ）におけるワイヤレス端末、自己駆動（ｓｅｌｆ  ｄｒｉｖｉｎｇ）におけるワイヤレス端末、遠隔医療（ｒｅｍｏｔｅ  ｍｅｄｉｃａｌ）におけるワイヤレス端末、スマートグリッド（ｓｍａｒｔ  ｇｒｉｄ）におけるワイヤレス端末、輸送安全（ｔｒａｎｓｐｏｒｔａｔｉｏｎ  ｓａｆｅｔｙ）におけるワイヤレス端末、スマート都市（ｓｍａｒｔ  ｃｉｔｙ）におけるワイヤレス端末、スマートホーム（ｓｍａｒｔ  ｈｏｍｅ）におけるワイヤレス端末などであり得る。本明細書では、限定を課さない。
【００５５】
図２は、本出願の一実施形態による、通信方法の流れ図である。図２に示すように、この実施形態における方法は、以下のステップを含み得る。
【００５６】
Ｓ２０１．端末は、ネットワークデバイスに第１のプリアンブルを送信する。
【００５７】
この実施形態では、端末は、ネットワークデバイスへのランダムアクセスを開始する必要がある。したがって、端末は、ネットワークデバイスに第１のプリアンブルを送信する。いくつかの実施形態では、ネットワークデバイスへのランダムアクセスを開始するプロセスにおいて、端末は、ネットワークデバイスに複数のプリアンブルを送信する必要がある。第１のプリアンブルは、複数のプリアンブルのうちのいずれか１つであり得、第１のプリアンブルは、ランダムアクセスプロシージャの第１のステップにおける端末からのものであるランダムアクセスプリアンブル信号であり得る。第１のプリアンブルは、時間領域リソースと周波数領域リソースとを占有する。第１のプリアンブルによって占有された時間領域リソースは、第１の時間領域リソースと呼ばれる。第１のプリアンブルによって占有された周波数領域リソースは、第１の周波数領域リソースと呼ばれる。第１の時間領域リソースは、１つまたは複数の時間単位に対応し得る。第１の時間領域リソースに対応する第１の時間単位は、ｉ番目の時間単位であると仮定し、言い換えれば、第１の時間単位のインデックス番号はｉである。
【００５８】
たとえば、第１の時間領域リソースに対応する第１の時間単位は、ｉ番目の時間単位であり、時間単位の持続時間は、サブフレームの持続時間に等しくない。具体的に言えば、各システムフレームは、複数の時間単位に分割され、たとえば、システムフレームは、Ａ個の時間単位に分割され得、システムフレームは、Ｂ個のサブフレームに分割され得る。時間単位の持続時間がサブフレームの持続時間に等しくないので、ＡはＢに等しくない。この実施形態では、端末からネットワークデバイスへのプリアンブルによって占有された時間領域リソースは、サブフレームによってもはや表されない。いくつかの実施形態では、時間単位の持続時間は、サブフレームの持続時間に等しくなり得る。
【００５９】
相応して、ネットワークデバイスは、端末から第１のプリアンブルを受信する。
【００６０】
Ｓ２０２．端末は、ｉ番目の時間単位の情報と、第１の周波数領域リソースの情報と、最大ＲＡＲ時間ウィンドウ長とに従って第１のＲＡＲのスクランブル値を決定する。
【００６１】
この実施形態では、端末は、ｉ番目の時間単位の情報と、第１の周波数領域リソースの情報と、最大ＲＡＲ時間ウィンドウ長とに従って第１のＲＡＲのスクランブル値を決定する。本明細書における第１のＲＡＲは、第１のプリアンブルに対応するＲＡＲである。概して、端末は、ＲＡＲの時間ウィンドウの長さでＲＡＲを受信する。ＲＡＲの時間ウィンドウの長さは、最大ＲＡＲ時間ウィンドウ長以下である必要がある。この実施形態では、たとえば、システムフレームは、複数の時間単位に分割される。最大ＲＡＲ時間ウィンドウ長は、Ｍ個の時間単位を含み、言い換えれば、Ｍ個の時間単位の持続時間は、最大時間ウィンドウ長に等しい。
【００６２】
Ｍは、端末とネットワークデバイスとの（たとえば、複数のいくつかの数秘学とも呼ばれる）複数のシステムパラメータ中の各システムパラメータのシステムフレーム中の時間単位の量の整数倍に等しい。代替として、Ｍは、端末とネットワークデバイスとの（たとえば、複数のいくつかの数秘学とも呼ばれる）複数のシステムパラメータ中の各システムパラメータのシステムフレーム中の時間単位の量の公倍に等しくなり得る。たとえば、１５ｋＨｚに対応するシステムパラメータ（数秘学）の１つのシステムフレーム中の時間単位の量が１０であるとき、３０ｋＨｚに対応するシステムパラメータ（数秘学）の１つのシステムフレーム中の時間単位の量は２０であり、６０ｋＨｚに対応するシステムパラメータ（数秘学）の１つのシステムフレーム中に含まれる時間単位の量は、４０であり、１２０ｋＨｚに対応するシステムパラメータ（数秘学）の１つのシステムフレーム中に含まれる時間単位の量は、８０である。したがって、システム中でＲＡＣＨによってサポートされ得るシステムパラメータ（数秘学）のセットが、｛１５，３０，６０，１２０｝ｋＨｚであるとき、現在のプリアンブルの長さが１２７または１３９である場合、ＲＡＣＨによってサポートされ得るシステムパラメータ（数秘学）は、上記の４つのタイプのうちのいずれか１つであり、最大ＲＡＲ時間ウィンドウ長は、ａ×８０個の時間単位に等しく、ここで、ａは、１以上の自然数である。最大ＲＡＲ時間ウィンドウ長は、標準にあらかじめ定義されている８０の整数倍のうちのいずれか１つであり得る。本明細書では、システムにおいてＲＡＣＨによってサポートされ得るシステムパラメータ（数秘学）は、代替として、より大きいセット、たとえば、｛１．２５，５，７．５，１５，３０，６０，１２０，２４０｝ｋＨｚ中のいずれか１つであり得る。
【００６３】
複数のシステムパラメータ中の各システムパラメータの時間単位の長さは変化し得る。
【００６４】
Ｓ２０３．ネットワークデバイスは、ｉ番目の時間単位の情報と、第１の周波数領域リソースの情報と、最大ＲＡＲ時間ウィンドウ長とに従って第１のＲＡＲのスクランブル値を決定する。
【００６５】
この実施形態では、ネットワークデバイスは、受信された第１のプリアンブルによって占有される第１の時間領域リソースに対応する第１の時間単位（すなわち、ｉ番目の時間単位）と、第１の周波数領域リソースと、最大ＲＡＲ時間ウィンドウ長とに従って第１のＲＡＲのスクランブル値を決定する。最大ＲＡＲ時間ウィンドウ長は、端末側の最大ＲＡＲ時間ウィンドウ長と同様である。詳細については、上記の説明を参照されたい。本明細書では、詳細を再び説明しない。
【００６６】
Ｓ２０２およびＳ２０３を実行する順序はない。
【００６７】
Ｓ２０４．ネットワークデバイスは、第１のＲＡＲのスクランブル値に従ってＲＡＲの時間ウィンドウ中で端末に第１のＲＡＲを送信する。
【００６８】
この実施形態では、ネットワークデバイスは、第１のＲＡＲのスクランブル値に従ってＲＡＲの時間ウィンドウ中で端末に第１のＲＡＲを送信する。第１のＲＡＲは、第１のプリアンブルに対応するＲＡＲである。たとえば、ネットワークデバイスは、第１のＲＡＲの決定されたスクランブル値に従って第１のＲＡＲをスクランブルし、次いで、ＲＡＲの時間ウィンドウ中で端末にスクランブルされたＲＡＲ情報を送信する。この実施形態では、ネットワークデバイスから端末へのＲＡＲに対応するＲＡＲの時間ウィンドウの長さは、最大時間ウィンドウ長以下である。
【００６９】
Ｓ２０３およびＳ２０４では、第１のＲＡＲのスクランブル値は、第１の時間領域リソースの情報と、第１の周波数領域リソースの情報と、最大ＲＡＲ時間ウィンドウ長とに従って決定される。したがって、Ｓ２０３で決定される第１のＲＡＲのスクランブル値とＳ２０４で決定される第１のＲＡＲのスクランブル値とは同じである。
【００７０】
Ｓ２０５．端末は、第１のＲＡＲのスクランブル値に従ってＲＡＲの時間ウィンドウ中で、ネットワークデバイスから第１のＲＡＲを受信する。
【００７１】
この実施形態では、端末は、第１のＲＡＲの決定されたスクランブル値に従ってＲＡＲの時間ウィンドウ中に、ネットワークデバイスから第１のＲＡＲを受信する。たとえば、端末は、ＲＡＲの時間ウィンドウ中で、ネットワークデバイスから情報を受信し、ここで、情報は、スクランブルされたＲＡＲ情報である。次いで、端末は、第１のＲＡＲを正しく取得するために、第１のＲＡＲの決定されたスクランブル値に従って受信された情報をデスクランブルする。
【００７２】
この実施形態では、端末がネットワークデバイスに第１のプリアンブルを送った後、端末とネットワークデバイスとの両方は、ｉ番目の時間単位の情報と、第１の周波数領域リソースの情報と、最大ＲＡＲ時間ウィンドウ長とに従って第１のＲＡＲのスクランブル値を決定し、第１の時間領域リソースに対応する第１の時間単位は、ｉ番目の時間単位であり、最大時間ウィンドウ長は、Ｍ個の時間単位を含み、Ｍは、端末とネットワークデバイスとの間での通信のための複数のシステムパラメータ中の各システムパラメータのシステムフレーム中の時間単位の量の整数倍に等しく、言い換えれば、複数の異なるシステムパラメータは、同じ最大時間ウィンドウ長値を使用する。本明細書では、異なるシステムパラメータに対応する時間単位が測定単位として使用されるとき、最大時間ウィンドウ長の値は同じになる。しかしながら、異なるシステムパラメータの最大時間ウィンドウ長の絶対持続時間は変化し得る。したがって、端末がネットワークデバイスに複数のシステムパラメータのプリアンブルを送信する場合であっても、端末は、これらの異なるプリアンブルのためのＲＡＲの異なるスクランブル値を決定する。したがって、異なるスクランブル値に従ってＲＡＲを正しく受信した後に、端末は、ＲＡＲに対応するプリアンブルとＲＡＣＨリソースとを正確に区別することができ、それによって、ＲＡＲ検出精度を改善する。
【００７３】
いくつかの実施形態では、ネットワークデバイスは、端末にＲＡＲの時間ウィンドウの長さに関する情報を送信する。相応して、端末は、ＲＡＲの時間ウィンドウの長さに関する情報を受信する。具体的には、この実施形態では、ＲＡＲの時間ウィンドウの長さは、ネットワークデバイスによって決定され、ネットワークデバイスによって決定されたＲＡＲの時間ウィンドウの長さは、最大時間ウィンドウ長以下である。次いで、ネットワークデバイスは、端末にＲＡＲの時間ウィンドウの長さに関する決定された情報を送信する。いくつかの実施形態では、端末がネットワークデバイスに複数のプリアンブルを送信する場合、これらのプリアンブルに対応するＲＡＲは、同じＲＡＲ時間ウィンドウを共有する。したがって、１つのランダムアクセスプロシージャにおいて、ネットワークデバイスに第１のプリアンブルを送った後に、端末は、ネットワークデバイスから、ＲＡＲの時間ウィンドウの長さを受信する。具体的に言えば、端末がネットワークデバイスに複数のプリアンブルを送信するとき、これらのプリアンブルの各々に対応するＲＡＲの時間ウィンドウの開始ロケーションは第１のプリアンブルの後のｋ番目のサブフレームであり、ここで、ｋは、１以上の正の整数であり、ｋの特定の値は、ネットワークデバイスおよび／または端末の処理能力に関係づけられる。代替として、Ｋの値は、システム情報またはブロードキャストチャネルを使用することによって端末装置にネットワークデバイスによって通知される。
【００７４】
ＲＡＲの時間ウィンドウの長さに関する情報は、システム情報を使用することによって端末にネットワークデバイスによって割り当てられ得る。たとえば、ネットワークデバイスは、端末にウィンドウ長情報を搬送する最小システム情報または物理ブロードキャストチャネルを送信する。
【００７５】
最大ＲＡＲ時間ウィンドウ長の測定単位は時間単位であり、言い換えれば、最大ＲＡＲ時間ウィンドウ長は、Ｍ個の時間単位である。ＲＡＲの時間ウィンドウの長さの測定単位は、時間単位であってもよく、言い換えれば、ＲＡＲの時間ウィンドウの長さは、Ｎ個の時間単位であり、ここで、Ｎ≦Ｍである。
【００７６】
いくつかの実施形態では、上記の時間単位は、第１の通信デバイスと第２の通信デバイスとの間でのデータ伝送のための時間間隔である。代替として、上記の時間単位はスロット（ｓｌｏｔ）である。言い換えれば、この実施形態では、第１の時間領域リソースは、プリアンブルによって占有されたサブフレームによってもはや表されず、第１の時間領域リソースは、プリアンブルによって占有されたスロットによって表される。したがって、複数のプリアンブルが同じサブフレームを占有するとき、１つのサブフレームが複数のスロットを含み、異なるプリアンブルが異なるスロットを占有するので、この実施形態における端末は、スロットによって表される時間領域リソースを使用することによってＲＡＲのスクランブル値を取得して、受信されたＲＡＲに対応するプリアンブルとＲＡＣＨリソースとを正確に区別する。
【００７７】
実現可能な実装では、Ｓ２０２とＳ２０３との実現可能な実装は、以下の通りである。端末またはネットワークデバイスは、ｉ番目の時間単位のインデックス番号と、第１の周波数領域リソースと、最大時間ウィンドウ長と、現在のシステムパラメータのシステムフレーム中の時間単位の量と、時間単位のうちの１つ中にあり第１のプリアンブルのものである候補周波数領域リソースの最大量と、第１の時間領域リソースが位置する第１のシステムフレームのインデックス番号とのうちの少なくとも１つに従って第１のＲＡＲのスクランブル値を決定する。
【００７８】
いくつかの実施形態では、上記の実装の実装解決策は、以下の通りである。端末またはネットワークデバイスは、式１に従って第１のＲＡＲのスクランブル値を決定し、ここで、式１は、以下の通りであり、
ＲＡ−ＲＮＴＩ＝１＋ｉ＋Ｎframe×ｆ＿ｉｄ＋Ｆmax×Ｎframe（ＳＦＮ＿ｉｄ  ｍｏｄ（Ｗmax／Ｎframe））
ここで、ＲＡ−ＲＮＴＩは、第１のＲＡＲのスクランブル値であり、ｉは、現在のシステムパラメータの第１の時間領域リソースに対応する第１の時間単位のインデックス番号を表し、Ｎframeは、現在のシステムパラメータのシステムフレーム中に含まれる時間単位の量を表し、Ｆmaxは、時間単位のうちの１つ中にあり、第１のプリアンブルのものである候補周波数領域リソースの最大量であり、ｆ＿ｉｄは、第１の周波数領域リソースに対応する周波数領域リソースのインデックス番号を表し、ＳＦＮ＿ｉｄは、第１の時間領域リソースが位置する第１のシステムフレームのインデックス番号を表し、Ｗmaxは、最大時間ウィンドウ長を表す。
【００７９】
現在のシステムパラメータは、端末がネットワークデバイスに第１のプリアンブルを送信するときに使用されるシステムパラメータであることに留意されたい。端末がネットワークデバイスに複数のプリアンブルを送信するとき、端末は、異なるシステムパラメータを使用し得るか、または同じシステムパラメータを使用し得る。端末がネットワークデバイスにプリアンブルを送信するために異なるシステムパラメータを使用する場合、端末が各プリアンブルに対応するＲＡＲのスクランブル値を決定するとき、Ｎframeは、現在のシステムパラメータのシステムフレーム中の時間単位の量を表す。現在のシステムパラメータは、プリアンブルを送信するために使用されるシステムパラメータである。Ｎframeの値は、異なるシステムパラメータで変化する。
【００８０】
Ｆmaxは、ＲＡＣＨ候補周波数領域リソースに関係するあらかじめ定義されたパラメータであり得る。たとえば、Ｆmaxは、時間単位のうちの１つ中にあり、第１のプリアンブルのものである候補周波数領域リソースの最大量である。ただし、この実施形態は、それに限定されない。たとえば、Ｆmaxの値が６であるとき、式１は次のように表される。
【００８１】
ＲＡ−ＲＮＴＩ＝１＋ｉ＋Ｎframe×ｆ＿ｉｄ＋６×Ｎframe（ＳＦＮ＿ｉｄ  ｍｏｄ（Ｗmax／Ｎframe））
別の実現可能な実装では、Ｓ２０２とＳ２０３との実現可能な実装は、以下の通りである。端末またはネットワークデバイスは、ｉ番目の時間単位のインデックス番号と、第１の周波数領域リソースと、最大時間ウィンドウ長と、時間単位のうちの１つ中にあり第１のプリアンブルのものである候補周波数領域リソースの最大量と、基準システムパラメータのシステムフレーム中の時間単位の量と、基準システムパラメータのサブキャリア間隔値と、現在のシステムパラメータのサブキャリア間隔値と、現在のシステムパラメータのシステムフレーム中の時間単位の量と、第１の時間領域リソースが位置する第１のシステムフレームのインデックス番号とのうちの少なくとも１つに従って第１のＲＡＲのスクランブル値を決定する。
【００８２】
いくつかの実施形態では、上記の実装の実装解決策は、以下の通りである。端末またはネットワークデバイスは、式２に従って第１のＲＡＲのスクランブル値を決定し、ここで、
式２は、以下の通りであり、
ＲＡ−ＲＮＴＩ＝１＋ｉ＋Ｓreference×ＮSCS／Ｎreference×ｆ＿ｉｄ＋Ｆmax×Ｓreference（ＳＦＮ＿ｉｄ  ｍｏｄ（Ｗmax／Ｎframe））
ここで、ＲＡ−ＲＮＴＩは、第１のＲＡＲのスクランブル値であり、ｉは、現在のシステムパラメータの第１の時間領域リソースに対応する第１の時間単位のインデックス番号を表し、Ｓreferenceは、基準システムパラメータのシステムフレーム中に含まれる時間単位の量を表し、Ｎreferenceは、基準システムパラメータのサブキャリア間隔値を表し、ＮSCSは、現在のシステムパラメータのサブキャリア間隔値を表し、Ｎframeは、現在のシステムパラメータのシステムフレーム中の時間単位の量を表し、ｆ＿ｉｄは、第１の周波数領域リソースに対応する候補周波数領域リソースのインデックス番号を表し、Ｆmaxは、時間単位のうちの１つ中にあり、第１のプリアンブルのものである候補周波数領域リソースの最大量であり、ＳＦＮ＿ｉｄは、第１の時間領域リソースが位置する第１のシステムフレームのインデックス番号を表し、Ｗmaxは、最大時間ウィンドウ長を表す。
【００８３】
たとえば、サブキャリア間隔値は、１５ｋＨｚ、３０ｋＨｚ、６０ｋＨｚ、１２０ｋＨｚなどである。任意選択で、サブキャリア間隔値は、１５よりも小さい別の値、たとえば、１．２５ｋＨｚ、５ｋＨｚ、または７．５ｋＨｚであり得る。これは、本明細書では特に限定されない。現在のシステムパラメータについては、上記の実施形態における説明を参照されたい。本明細書では、詳細を再び説明しない。基準システムパラメータは、複数のシステムパラメータのうちのいずれか１つであり得る。具体的に言えば、システムパラメータは、参照のために選択され、使用される。基準システムパラメータはあらかじめ定義されているので、現在のシステムパラメータが変化する場合でも、基準システムパラメータは変化しない。
【００８４】
図３は、本出願の別の実施形態による、通信方法の流れ図である。図３に示すように、この実施形態における方法は、以下のステップを含み得る。
【００８５】
Ｓ３０１．端末は、ネットワークデバイスにＴ番目のプリアンブルを送信する。
【００８６】
この実施形態では、端末は、ネットワークデバイスにＫ個のプリアンブルを送信する必要がある。この実施形態では、Ｔ番目のプリアンブルを送信することが一例として使用される。Ｔ番目のプリアンブルは、Ｋ個のプリアンブル中の任意のプリアンブルであり、ここで、１≦Ｔ≦Ｋである。さらに、Ｔ番目のプリアンブルの第１の時間単位のインデックス番号は、ｉTであり、Ｔ番目のプリアンブルは、（ｊT）番目の周波数領域リソースを占有する。ｉTの値は、Ｔの値とともに変化する。言い換えれば、各プリアンブルによって占有された時間領域リソースの第１の時間単位が変化する。
【００８７】
Ｓ３０２．端末は、（ｉT）番目の時間単位と、（ｊT）番目の周波数領域リソースと、最大ＲＡＲ時間ウィンドウ長とに従って第１のＲＡＲのスクランブル値を決定する。
【００８８】
ここで、ｉTは、Ｔ番目のプリアンブルの第１の時間単位のインデックス番号であり、ｊTは、Ｔ番目のプリアンブルによって占有される周波数領域リソースのインデックス番号であり、最大ＲＡＲ時間ウィンドウ長は、Ｍ個の時間単位を含み、Ｍは、端末とネットワークデバイスとの（たとえば、複数のいくつかの数秘学とも呼ばれる）複数のシステムパラメータ中の各システムパラメータのシステムフレーム中の時間単位の量の整数倍に等しい。
【００８９】
Ｓ３０３．ネットワークデバイスは、（ｉT）番目の時間単位と、（ｊT）番目の周波数領域リソースと、最大ＲＡＲ時間ウィンドウ長とに従って第１のＲＡＲのスクランブル値を決定する。
【００９０】
第１のＲＡＲは、Ｔ番目のプリアンブルに対応するＲＡＲである。Ｓ３０２およびＳ３０３の特定の実装プロセスについては、上記の実施形態における関連説明を参照されたい。本明細書では、詳細を再び説明しない。
【００９１】
Ｓ３０４．ネットワークデバイスは、第１のＲＡＲのスクランブル値に従ってＲＡＲの時間ウィンドウ中で端末に第１のＲＡＲを送信する。
【００９２】
Ｓ３０５．端末は、第１のＲＡＲのスクランブル値に従ってＲＡＲの時間ウィンドウ中で、ネットワークデバイスから第１のＲＡＲを受信する。
【００９３】
この実施形態におけるＳ３０４およびＳ３０５の特定の実装プロセスについては、上記の実施形態における関連説明を参照されたい。本明細書では、詳細を再び説明しない。
【００９４】
いくつかの実施形態では、ＲＡＲの時間ウィンドウの開始時間単位は、プリアンブル中の第１のプリアンブルに対応する第１の時間単位（すなわち、ｉ1番目の時間単位）のインデックス番号ｉ1に関係づけられる。この実施形態では、ＲＡＲの時間ウィンドウの長さが取得された後、ＲＡＲの時間ウィンドウを決定するために、ＲＡＲの時間ウィンドウの開始時間単位と終了時間単位とが決定される必要がある。したがって、この実施形態では、開始時間単位が決定された後、ＲＡＲの時間ウィンドウを決定するために、終了時間単位は時間ウィンドウの長さに従って決定され得る。次いで、ＲＡＲは、ＲＡＲの時間ウィンドウ中で受信される。従来技術では、端末は、ＲＡＲを受信する前にすべてのＫ個のプリアンブルを送信する必要がある。言い換えれば、従来技術におけるＲＡＲの時間ウィンドウの開始時間単位はＫ番目のプリアンブルが送信される時間単位の後であり、端末によってＲＡＲを受信する際の遅延を増加させる。したがって、この実施形態では、ＲＡＲの時間ウィンドウの開始時間単位は、第１のプリアンブルに対応する第１の時間単位（すなわち、ｉ1番目の時間単位）のインデックス番号ｉ1に関係づけられるように設定される。たとえば、第１のプリアンブルに対応するｉ1番目の時間単位の後の３つ以上の時間単位である第１のダウンリンク時間単位が、ＲＡＲの時間ウィンドウの開始時間単位として使用される。したがって、この実施形態では、ＲＡＲを受信する前に端末がすべてのＫ個のプリアンブルを送信するのを待つ必要がない。端末は、第１のプリアンブルを送った後にＲＡＲを受信することができ、それによって、端末によってＲＡＲを受信する際の遅延を低減する。
【００９５】
いくつかの実施形態では、ＲＡＲの時間ウィンドウの終了時間単位は、プリアンブル中のＫ番目のプリアンブルに対応する第１の時間単位（すなわち、（ｉK）番目の時間単位）のインデックス番号ｉKに関係づけられる。この実施形態では、ＲＡＲの時間ウィンドウの長さが取得された後、ＲＡＲの時間ウィンドウを決定するために、ＲＡＲの時間ウィンドウの開始時間単位が決定される必要がある。したがって、この実施形態では、終了時間単位が決定された後、ＲＡＲの時間ウィンドウを決定するために、開始時間単位は時間ウィンドウの長さに従って決定され得る。次いで、ＲＡＲは、ＲＡＲの時間ウィンドウ中で受信される。従来技術では、端末は、ＲＡＲを受信する前にすべてのＫ個のプリアンブルを送信する必要がある。言い換えれば、従来技術におけるＲＡＲの時間ウィンドウの開始時間単位はＫ番目のプリアンブルが送信される時間単位の後であり、端末によってＲＡＲを受信する際の遅延を増加させる。したがって、この実施形態では、ＲＡＲの時間ウィンドウの終了時間単位は、Ｋ番目のプリアンブルに対応する第１の時間単位（すなわち、（ｉK）番目の時間単位）のインデックス番号ｉKに関係づけられるように設定される。たとえば、ＲＡＲの時間ウィンドウの第１のダウンリンク時間単位と終了時間単位との間にいくつかの時間単位があり、ここで、第１のダウンリンク時間単位は、Ｋ番目のプリアンブルに対応する（ｉK）番目の時間単位の後の３つ以上の時間単位である。このようにして、この実施形態では、Ｋ番目のプリアンブルが送信される時間とＲＡＲの時間ウィンドウの終了時間との間の時間差は、できる限り低減され得、端末がＲＡＲを受信する前にすべてのＫ個のプリアンブルを送信するのを待つ必要がない。端末は、第１のプリアンブルを送った後にＲＡＲを受信することができ、それによって、端末によってＲＡＲを受信する際の遅延を低減する。
【００９６】
たとえば、この実施形態におけるＲＡＲの時間ウィンドウを図４に示す。
【００９７】
Ｓ３０６．端末は、ネットワークデバイスにランダムアクセスメッセージ３を送信する。ネットワークデバイスは、端末からランダムアクセスメッセージ３を受信する。
【００９８】
この実施形態では、端末が、第１のＲＡＲのスクランブル値に従って第１のＲＡＲを正常に受信する、具体的に言えば、Ｔ番目のプリアンブルに対応するＲＡＲを正常に受信する場合、端末は、ネットワークデバイスにランダムアクセスメッセージ３を送信する。相応して、ネットワークデバイスは、端末からランダムアクセスメッセージ３を受信する。ランダムアクセスメッセージ３は、ランダムアクセスプロシージャの第３のステップ中の応答メッセージまたはＲＡＲに対する応答メッセージである。
【００９９】
Ｓ３０７．端末は、ネットワークデバイスにＫ個のプリアンブル中の未送信のプリアンブルを送信するのを止める。
【０１００】
この実施形態では、端末は、ランダムアクセス成功率を改善するために、具体的に言えば、ＲＡＲ受信成功率を改善するためにネットワークデバイスにＫ個のプリアンブルを送信する必要がある。端末がＴ番目のプリアンブルのＲＡＲを受信しているので、端末は、ネットワークデバイスにＫ個のプリアンブル中の未送信のプリアンブルを送信する必要がない。次いで、端末は、ネットワークデバイスにＫ個のプリアンブル中の未送信のプリアンブルを送信するのを止める。
【０１０１】
Ｓ３０８．ランダムアクセスメッセージ３によれば、ネットワークデバイスは、Ｋ個のプリアンブル中の未送信のプリアンブルによって占有されたＲＡＣＨリソースを解放するか、または別の通信デバイスにＫ個のプリアンブル中の未送信のプリアンブルによって占有されたＲＡＣＨリソースを割り当てる。本明細書におけるＲＡＣＨリソースは、時間領域リソースと、周波数領域リソースと、コード領域リソースとのうちの少なくとも１つを含み得る。
【０１０２】
この実施形態では、ランダムアクセスメッセージ３を受信した後に、ネットワークデバイスは、端末がＲＡＲを正常に受信したと決定する。したがって、端末は、ネットワークデバイスにＫ個のプリアンブル中の未送信のプリアンブルを送らず、未送信のプリアンブルによって占有された時間領域リソースと、周波数領域リソースと、コード領域リソースとが端末に割り当てられる必要がない。したがって、ネットワークデバイスは、Ｋ個のプリアンブル中の未送信のプリアンブルによって占有された時間領域リソースと、周波数領域リソースと、コード領域リソースとを解放するか、またはネットワークデバイスは、別の通信デバイス（たとえば、別の端末）にＫ個のプリアンブル中の未送信のプリアンブルによって占有された時間領域リソースと、周波数領域リソースと、コード領域リソースとを割り当てる。したがって、この実施形態は、プリアンブルのリソース占有を低減し、ランダムアクセスリソースの利用率を改善することができる。
【０１０３】
上記の実施形態では、端末によって実装される方法またはステップが、代替として、端末中のチップによって実装され得、基地局、たとえば、ネットワークデバイスによって実装される方法またはステップが、代替として、ネットワークデバイス中のチップによって実装され得ることが理解され得る。
【０１０４】
図５は、本出願の一実施形態による、通信デバイスの概略構造図である。この実施形態における通信デバイスは、第１の通信デバイスとして使用される。第１の通信デバイスは、端末であり得るか、または端末中のチップであり得る。図５に示すように、通信デバイスは、送信モジュール１１と、処理モジュール１２と、受信モジュール１３とを含み得る。
【０１０５】
送信モジュール１１は、第２の通信デバイスに第１のプリアンブルを送信することであって、第１のプリアンブルは、第１の時間領域リソースと第１の周波数領域リソースとを占有し、第１の時間領域リソースに対応する第１の時間単位は、ｉ番目の時間単位である、送信することを行うように構成される。
【０１０６】
処理モジュール１２は、ｉ番目の時間単位と、第１の周波数領域リソースと、最大ＲＡＲ時間ウィンドウ長とに従って第１のＲＡＲのスクランブル値を決定することであって、第１のＲＡＲは、第１のプリアンブルに対応するＲＡＲであり、最大時間ウィンドウ長は、Ｍ個の時間単位を含み、Ｍは、第１の通信デバイスと第２の通信デバイスとの間の通信のための複数のシステムパラメータ中の各システムパラメータのシステムフレーム中の時間単位の量の整数倍に等しい、決定することを行うように構成される。
【０１０７】
受信モジュール１３は、第１のＲＡＲのスクランブル値に従ってＲＡＲの時間ウィンドウ中で、第２の通信デバイスから第１のＲＡＲを受信することであって、ＲＡＲの時間ウィンドウの長さは、最大時間ウィンドウ長以下である、受信することを行うように構成される。
【０１０８】
任意選択で、受信モジュール１３は、ＲＡＲの時間ウィンドウの長さに関する情報を第２の通信デバイスから受信するようにさらに構成される。
【０１０９】
任意選択で、時間単位は、第１の通信デバイスと第２の通信デバイスとの間でのデータ伝送のための時間間隔、またはスロットである。
【０１１０】
任意選択で、処理モジュール１２は、ｉ番目の時間単位のインデックス番号と、第１の周波数領域リソースと、最大時間ウィンドウ長と、現在のシステムパラメータのシステムフレーム中の時間単位の量と、時間単位のうちの１つ中にあり第１のプリアンブルのものである候補周波数領域リソースの最大量と、第１の時間領域リソースが位置する第１のシステムフレームのインデックス番号とのうちの少なくとも１つに従って第１のＲＡＲのスクランブル値を決定するように特に構成される。
【０１１１】
任意選択で、処理モジュール１２は、式１に従って第１のＲＡＲのスクランブル値を決定することであって、
式１は、以下の通りであり、
ＲＡ−ＲＮＴＩ＝１＋ｉ＋Ｎframe×ｆ＿ｉｄ＋Ｆmax×Ｎframe（ＳＦＮ＿ｉｄ  ｍｏｄ（Ｗmax／Ｎframe））
ここで、ＲＡ−ＲＮＴＩは、第１のＲＡＲのスクランブル値であり、ｉは、現在のシステムパラメータの第１の時間領域リソースに対応する第１の時間単位のインデックス番号を表し、Ｎframeは、現在のシステムパラメータのシステムフレームに含まれる時間単位の量を表し、Ｆmaxは、時間単位のうちの１つ中にあり、第１のプリアンブルのものである候補周波数領域リソースの最大量であり、ｆ＿ｉｄは、第１の周波数領域リソースに対応する候補周波数領域リソースのインデックス番号を表し、ＳＦＮ＿ｉｄは、第１の時間領域リソースが位置する第１のシステムフレームのインデックス番号を表し、Ｗmaxは、最大時間ウィンドウ長を表す、
決定すること
を行うように特に構成される。
【０１１２】
任意選択で、処理モジュール１２は、ｉ番目の時間単位のインデックス番号と、第１の周波数領域リソースと、最大時間ウィンドウ長と、時間単位のうちの１つ中にあり第１のプリアンブルのものである候補周波数領域リソースの最大量と、基準システムパラメータのシステムフレーム中の時間単位の量と、基準システムパラメータのサブキャリア間隔値と、現在のシステムパラメータのサブキャリア間隔値と、現在のシステムパラメータのシステムフレーム中の時間単位の量と、第１の時間領域リソースが位置する第１のシステムフレームのインデックス番号とのうちの少なくとも１つに従って第１のＲＡＲのスクランブル値を決定するように特に構成される。
【０１１３】
任意選択で、処理モジュール１２は、式２に従って第１のＲＡＲのスクランブル値を決定することであって、
式２は、以下の通りであり、
ＲＡ−ＲＮＴＩ＝１＋ｉ＋Ｓreference×ＮSCS／Ｎreference×ｆ＿ｉｄ＋Ｆmax×Ｓreference（ＳＦＮ＿ｉｄ  ｍｏｄ（Ｗmax／Ｎframe））
ここで、ＲＡ−ＲＮＴＩは、第１のＲＡＲのスクランブル値であり、ｉは、現在のシステムパラメータの第１の時間領域リソースに対応する第１の時間単位のインデックス番号を表し、Ｓreferenceは、基準システムパラメータのシステムフレーム中に含まれる時間単位の量を表し、Ｎreferenceは、基準システムパラメータのサブキャリア間隔値を表し、ＮSCSは、現在のシステムパラメータのサブキャリア間隔値を表し、Ｎframeは、現在のシステムパラメータのシステムフレーム中の時間単位の量を表し、ｆ＿ｉｄは、第１の周波数領域リソースに対応する候補周波数領域リソースのインデックス番号を表し、Ｆmaxは、時間単位のうちの１つ中にあり、第１のプリアンブルのものである候補周波数領域リソースの最大量であり、ＳＦＮ＿ｉｄは、第１の時間領域リソースが位置する第１のシステムフレームのインデックス番号を表し、Ｗmaxは、最大時間ウィンドウ長を表す、
決定すること
を行うように特に構成される。
【０１１４】
任意選択で、第１のプリアンブルは、第２の通信デバイスに第１の通信デバイスによって送信される必要があるＫ個のプリアンブルのうちのいずれか１つであり、第１のプリアンブルは、プリアンブル中のＴ番目のプリアンブルであり、１≦Ｔ≦Ｋであり、第１の時間領域リソースに対応する第１の時間単位のインデックス番号はｉTであり、ｉTの値は、Ｔの値とともに変化し、第１の周波数領域リソースは、（ｊT）番目の周波数領域リソースであり、
ＲＡＲの時間ウィンドウの開始時間単位は、プリアンブル中の第１のプリアンブルに対応する第１の時間単位のインデックス番号ｉ1に関係づけられ、ならびに／または
ＲＡＲの時間ウィンドウの終了時間単位は、プリアンブル中のＫ番目のプリアンブルに対応する第１の時間単位のインデックス番号ｉKに関係づけられる。
【０１１５】
任意選択で、送信モジュール１１は、受信モジュールが第１のＲＡＲのスクランブル値に従って第１のＲＡＲを正常に受信した場合、第２の通信デバイスにランダムアクセスメッセージ３を送信することと、第２の通信デバイスにＫ個のプリアンブル中の未送信のプリアンブルを送信するのを止めることとを行うようにさらに構成される。
【０１１６】
この実施形態における上記で説明した第１の通信デバイスは、上記の方法実施形態における端末または端末チップによって実行される技術的解決策を実行するように構成され得る。第１の通信デバイスの実装原則および技術的効果は、方法実施形態におけるものと同様である。第１の通信デバイスの各モジュールの機能については、方法実施形態における対応する説明を参照されたい。本明細書では、詳細を再び説明しない。
【０１１７】
図６は、本出願の一実施形態による、端末の概略構造図である。図６に示すように、この実施形態における端末は、プロセッサ２１とトランシーバ２２とを含み得る。プロセッサ２１は、トランシーバ２２に接続され、それと通信する。
【０１１８】
ハードウェア実装形態では、送信モジュール１１と受信モジュール１３とは、この実施形態におけるトランシーバ２２であり得る。代替として、トランシーバ２２は、送信機と受信機とを含み、送信モジュール１１は、トランシーバ２２中の送信機であり得、受信モジュール１３は、トランシーバ２２中の受信機であり得る。処理モジュール１２は、ハードウェアの形態で端末中のプロセッサ２１中に埋め込まれ得るか、またはそれとは無関係であり得る。
【０１１９】
トランシーバ２２は、必要な無線周波通信デバイス、たとえば、周波数ミキサを含み得る。プロセッサ２１は、中央処理ユニット（Ｃｅｎｔｒａｌ  Ｐｒｏｃｅｓｓｉｎｇ  Ｕｎｉｔ、ＣＰＵ）、デジタル信号プロセッサ（ｄｉｇｉｔａｌ  ｓｉｇｎａｌ  ｐｒｏｃｅｓｓｏｒ、ＤＳＰ）、マイクロコントローラユニット（Ｍｉｃｒｏｃｏｎｔｒｏｌｌｅｒ  Ｕｎｉｔ、ＭＣＵ）、および特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ、ＡＳＩＣ）、またはフィールドプログラマブルゲートアレイ（Ｆｉｅｌｄ−ｐｒｏｇｒａｍｍａｂｌｅ  Ｇａｔｅアレイ（ＦＰＧＡ））のうちの少なくとも１つを含み得る。
【０１２０】
任意選択で、この実施形態における端末は、メモリ２３をさらに含み得る。メモリ２３は、プログラム命令を記憶するように構成される。プロセッサ２１は、上記の解決策を実行するためにメモリ２３中のプログラム命令を呼び出すように構成される。
【０１２１】
プログラム命令は、ソフトウェア機能ユニットの形態で実装され得、独立した製品として販売または使用され得る。メモリ２３は、任意の形態のコンピュータ可読記憶媒体であり得る。そのような理解に従って、本出願の技術的解決策の全部または一部は、ソフトウェア製品の形態で実装され得る。ソフトウェア製品は、本出願の実施形態における端末のステップの全部または一部を実行するように、具体的にはプロセッサ２１であり得るコンピュータデバイスを命令するためのいくつかの命令を含む。上記のコンピュータ可読記憶媒体は、ＵＳＢフラッシュドライブ、リムーバブルハードディスク、読取り専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク、または光ディスクなど、プログラムコードを記憶することができる任意の媒体を含む。
【０１２２】
この実施形態における上記で説明した端末は、本出願の上記の方法実施形態における端末または端末中のチップによって実行される技術的解決策を実行するように構成され得る。端末の実装原則および技術的効果は、方法実施形態におけるものと同様である。端末の各モジュールの機能については、方法実施形態における対応する説明を参照されたい。本明細書では、詳細を再び説明しない。
【０１２３】
図７は、本出願の別の実施形態による、通信デバイスの概略構造図である。この実施形態における通信デバイスは、第２の通信デバイスとして使用される。第２の通信デバイスは、ネットワークデバイスであり得るか、またはネットワークデバイス中のチップであり得る。図７に示すように、通信デバイスは、受信モジュール３１と、処理モジュール３２と、送信モジュール３３とを含み得る。
【０１２４】
受信モジュール３１は、第１の通信デバイスから第１のプリアンブルを受信することであって、第１のプリアンブルは、第１の時間領域リソースと第１の周波数領域リソースとを占有し、第１の時間領域リソースに対応する第１の時間単位は、ｉ番目の時間単位である、受信することを行うように構成される。
【０１２５】
処理モジュール３２は、ｉ番目の時間単位と、第１の周波数領域リソースと、最大ＲＡＲ時間ウィンドウ長とに従って第１のＲＡＲのスクランブル値を決定することであって、第１のＲＡＲは、第１のプリアンブルに対応するＲＡＲであり、最大時間ウィンドウ長は、Ｍ個の時間単位を含み、Ｍは、第１の通信デバイスと第２の通信デバイスとの間の通信のための複数のシステムパラメータ中の各システムパラメータのシステムフレーム中の時間単位の量の整数倍に等しい、決定することを行うように構成される。
【０１２６】
送信モジュール３３は、第１のＲＡＲのスクランブル値に従ってＲＡＲの時間ウィンドウ中で第１の通信デバイスに第１のＲＡＲを送信することであって、ＲＡＲの時間ウィンドウの長さは、最大時間ウィンドウ長以下である、送信することを行うように構成される。
【０１２７】
任意選択で、送信モジュール３３は、第１の通信デバイスにＲＡＲの時間ウィンドウの長さに関する情報を送信するようにさらに構成される。
【０１２８】
任意選択で、時間単位は、第１の通信デバイスと第２の通信デバイスとの間でのデータ伝送のための時間間隔、またはスロットである。
【０１２９】
任意選択で、処理モジュール３２は、ｉ番目の時間単位のインデックス番号と、第１の周波数領域リソースと、最大時間ウィンドウ長と、現在のシステムパラメータのシステムフレーム中の時間単位の量と、時間単位のうちの１つ中にあり第１のプリアンブルのものである候補周波数領域リソースの最大量と、第１の時間領域リソースが位置する第１のシステムフレームのインデックス番号とのうちの少なくとも１つに従って第１のＲＡＲのスクランブル値を決定するように特に構成される。
【０１３０】
任意選択で、処理モジュール３２は、式１に従って第１のＲＡＲのスクランブル値を決定することであって、
式１は、以下の通りであり、
ＲＡ−ＲＮＴＩ＝１＋ｉ＋Ｎframe×ｆ＿ｉｄ＋Ｆmax×Ｎframe（ＳＦＮ＿ｉｄ  ｍｏｄ（Ｗmax／Ｎframe））
ここで、ＲＡ−ＲＮＴＩは、第１のＲＡＲのスクランブル値であり、ｉは、現在のシステムパラメータの第１の時間領域リソースに対応する第１の時間単位のインデックス番号を表し、Ｎframeは、現在のシステムパラメータのシステムフレーム中に含まれる時間単位の量を表し、Ｆmaxは、時間単位のうちの１つ中にあり、第１のプリアンブルのものである候補周波数領域リソースの最大量であり、ｆ＿ｉｄは、第１の周波数領域リソースに対応する候補周波数領域リソースのインデックス番号を表し、ＳＦＮ＿ｉｄは、第１の時間領域リソースが位置する第１のシステムフレームのインデックス番号を表し、Ｗmaxは、最大時間ウィンドウ長を表す、
決定すること
を行うように特に構成される。
【０１３１】
任意選択で、処理モジュール３２は、ｉ番目の時間単位のインデックス番号と、第１の周波数領域リソースと、最大時間ウィンドウ長と、時間単位のうちの１つ中にあり第１のプリアンブルのものである候補周波数領域リソースの最大量と、基準システムパラメータのシステムフレーム中の時間単位の量と、基準システムパラメータのサブキャリア間隔値と、現在のシステムパラメータのサブキャリア間隔値と、現在のシステムパラメータのシステムフレーム中の時間単位の量と、第１の時間領域リソースが位置する第１のシステムフレームのインデックス番号とのうちの少なくとも１つに従って第１のＲＡＲのスクランブル値を決定するように特に構成される。
【０１３２】
任意選択で、処理モジュール３２は、式２に従って第１のＲＡＲのスクランブル値を決定することであって、
式２は、以下の通りであり、
ＲＡ−ＲＮＴＩ＝１＋ｉ＋Ｓreference×ＮSCS／Ｎreference×ｆ＿ｉｄ＋Ｆmax×Ｓreference（ＳＦＮ＿ｉｄ  ｍｏｄ（Ｗmax／Ｎframe））
ここで、ＲＡ−ＲＮＴＩは、第１のＲＡＲのスクランブル値であり、ｉは、現在のシステムパラメータの第１の時間領域リソースに対応する第１の時間単位のインデックス番号を表し、Ｓreferenceは、基準システムパラメータのシステムフレーム中の時間単位の量を表し、Ｎreferenceは、基準システムパラメータのサブキャリア間隔値を表し、ＮSCSは、現在のシステムパラメータのサブキャリア間隔値を表し、Ｎframeは、現在のシステムパラメータのシステムフレーム中の時間単位の量を表し、ｆ＿ｉｄは、第１の周波数領域リソースに対応する候補周波数領域リソースのインデックス番号を表し、Ｆmaxは、時間単位のうちの１つ中にあり、第１のプリアンブルのものである候補周波数領域リソースの最大量であり、ＳＦＮ＿ｉｄは、第１の時間領域リソースが位置する第１のシステムフレームのインデックス番号を表し、Ｗmaxは、最大時間ウィンドウ長を表す、
決定すること
を行うように特に構成される。
【０１３３】
任意選択で、第１のプリアンブルは、第１の通信デバイスに第２の通信デバイスによって送信される必要があるＫ個のプリアンブルのうちのいずれか１つであり、第１のプリアンブルは、プリアンブル中のＴ番目のプリアンブルであり、１≦Ｔ≦Ｋであり、第１の時間領域リソースに対応する第１の時間単位のインデックス番号はｉTであり、値ｉTは、Ｔの値とともに変化し、第１の時間領域リソースは、（ｊT）番目の周波数領域リソースであり、
ＲＡＲの時間ウィンドウの開始時間単位は、プリアンブル中の第１のプリアンブルに対応する第１の時間単位のインデックス番号ｉ1に関係づけられ、ならびに／または
ＲＡＲの時間ウィンドウの終了時間単位は、プリアンブル中のＫ番目のプリアンブルに対応する第１の時間単位のインデックス番号ｉKに関係づけられる。
【０１３４】
任意選択で、受信モジュール３１は、第１の通信デバイスからランダムアクセスメッセージ３を受信するようにさらに構成される。
【０１３５】
処理モジュール３２は、ランダムアクセスメッセージ３に従って、Ｋ個のプリアンブル中の未送信のプリアンブルによって占有されたランダムアクセスリソースを解放すること、または別の通信デバイスにＫ個のプリアンブル中の未送信のプリアンブルによって占有されたランダムアクセスリソースを割り当てることを行うようにさらに構成される。
【０１３６】
この実施形態における上記で説明した第２の通信デバイスは、上記の方法実施形態におけるネットワークデバイスまたはネットワークデバイス中のチップによって実行される技術的解決策を実行するように構成され得る。第２の通信デバイスの実装原則および技術的効果は、方法実施形態におけるものと同様である。第２の通信デバイスの各モジュールの機能については、方法実施形態における対応する説明を参照されたい。本明細書では、詳細を再び説明しない。
【０１３７】
図８は、本出願の一実施形態による、ネットワークデバイスの概略構造図である。図８に示すように、この実施形態におけるネットワークデバイスは、プロセッサ４１とトランシーバ４２とを含み得る。プロセッサ４１は、トランシーバ４２に接続され、それと通信する。
【０１３８】
ハードウェア実装形態では、受信モジュール３１と送信モジュール３３とは、この実施形態におけるトランシーバ４２であり得る。代替として、トランシーバ４２は、送信機と受信機とを含み、受信モジュール３１は、トランシーバ２２中の受信機であり得、送信モジュール３３は、トランシーバ４２中の送信機であり得る。処理モジュール３２は、ハードウェアの形態でネットワークデバイス中のプロセッサ４１中に埋め込まれ得るか、またはそれとは無関係であり得る。
【０１３９】
トランシーバ４２は、必要な無線周波通信デバイス、たとえば、周波数ミキサを含み得る。プロセッサ４１は、ＣＰＵ、ＤＳＰ、ＭＣＵ、ＡＳＩＣ、またはＦＰＧＡのうちの少なくとも１つを含み得る。
【０１４０】
任意選択で、この実施形態におけるネットワークデバイスは、メモリ４３をさらに含み得る。メモリ４３は、プログラム命令を記憶するように構成される。プロセッサ４１は、上記の解決策を実行するためにメモリ４３中のプログラム命令を呼び出すように構成される。
【０１４１】
プログラム命令は、ソフトウェア機能ユニットの形態で実装され得、独立した製品として販売または使用され得る。メモリ４３は、任意の形態のコンピュータ可読記憶媒体であり得る。そのような理解に従って、本出願の技術的解決策の全部または一部は、ソフトウェア製品の形態で実装され得る。ソフトウェア製品は、本出願の実施形態におけるネットワークデバイスのステップの全部または一部を実行するように、具体的にはプロセッサ４１であり得るコンピュータデバイスを命令するためのいくつかの命令を含む。上記のコンピュータ可読記憶媒体は、ＵＳＢフラッシュドライブ、リムーバブルハードディスク、ＲＯＭ、ＲＡＭ、磁気ディスク、または光ディスクなど、プログラムコードを記憶することができる任意の媒体を含む。
【０１４２】
この実施形態における上記で説明したネットワークデバイスは、本出願の上記の方法実施形態におけるネットワークデバイスの技術的解決策を実行するように構成され得る。実装原則および技術的効果は、方法実施形態におけるものと同様である。本明細書では、詳細を再び説明しない。
【０１４３】
本出願の実施形態におけるモジュールの区分は、一例であり、論理機能区分にすぎず、実際の実装では別の区分方式があり得ることに留意されたい。本出願の実施形態における機能モジュールは、１つ処理モジュールに統合され得るか、またはモジュールの各々は、物理的に単独で存在し得るか、または２つ以上のモジュールは、１つのモジュールに統合される。統合されたモジュールは、ハードウェアの形態で実装され得るか、またはソフトウェア機能モジュールの形態で実装され得る。
【０１４４】
統合されたモジュールがソフトウェア機能モジュールの形態で実装され、独立した製品として販売または使用されるとき、統合ユニットは、コンピュータ可読記憶媒体中に記憶され得る。そのような理解に従って、本質的に本出願の技術的解決策、または従来技術に寄与する部分、または技術的解決策の全部もしくは一部は、ソフトウェア製品の形態で実装され得る。コンピュータソフトウェア製品は、記憶媒体中に記憶され、本出願の実施形態で説明する方法のステップの全部または一部を実行するように（パーソナルコンピュータ、サーバ、ネットワークデバイスなどであり得る）コンピュータデバイスまたはプロセッサ（ｐｒｏｃｅｓｓｏｒ）に命令するためのいくつかの命令を含む。上記の記憶媒体は、ＵＳＢフラッシュドライブ、リムーバブルハードディスク、読取り専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク、または光ディスクなど、プログラムコードを記憶することができる任意の媒体を含む。
【０１４５】
上記の実施形態の全部または一部は、ソフトウェア、ハードウェア、ファームウェア、またはそれらの任意の組合せを使用することによって実装され得る。ソフトウェアが実施形態を実装するために使用されるとき、実施形態の全部または一部はコンピュータプログラム製品の形態で実装され得る。コンピュータプログラム製品は、１つまたは複数のコンピュータ命令を含む。コンピュータプログラム命令がコンピュータ上にロードされ、実行されるとき、本出願の実施形態によるプロセスまたは機能の一部もしくは全部が生成される。コンピュータは、汎用コンピュータ、専用コンピュータ、コンピュータネットワーク、または別のプログラマブル装置であり得る。コンピュータ命令は、コンピュータ可読記憶媒体中に記憶され得るか、またはコンピュータ可読記憶媒体から別のコンピュータ可読記憶媒体に伝送され得る。たとえば、コンピュータ命令は、ワイヤード（たとえば、同軸ケーブル、光ファイバ、またはデジタル加入者回線（ＤＳＬ））またはワイヤレス（たとえば、赤外線、無線、またはマイクロ波）の方式でウェブサイト、コンピュータ、サーバ、またはデータセンターから別のウェブサイト、コンピュータ、サーバ、またはデータセンターに伝送され得る。コンピュータ可読記憶媒体は、コンピュータにアクセス可能な任意の使用可能な媒体、あるいは１つもしくは複数の使用可能な媒体を統合するサーバまたはデータセンターなどのデータストレージデバイスであり得る。使用可能な媒体は、磁気媒体（たとえば、フロッピーディスク、ハードディスク、または磁気テープ）、光媒体（たとえば、ＤＶＤ）、半導体媒体（たとえば、ソリッドステートディスクソリッドステートディスク（ＳＳＤ））などであり得る。
【図１】
2020529796.tif 000003
【図２】
2020529796.tif 000004
【図３】
2020529796.tif 000005
【図４】
2020529796.tif 000006
【図５】
2020529796.tif 000007
【図６】
2020529796.tif 000008
【図７】
2020529796.tif 000009
【図８】
2020529796.tif 000010
【手続補正書】
【提出日】令和2年3月3日(2020.3.3)
【手続補正１】
【補正対象書類名】特許請求の範囲
【補正対象項目名】全文
【補正方法】変更
【補正の内容】
【特許請求の範囲】
【請求項１】
通信方法であって、
第１の通信デバイスによって、第２の通信デバイスに第１のプリアンブルを送信するステップであって、前記第１のプリアンブルは、第１の時間領域リソースと第１の周波数領域リソースとを占有し、前記第１の時間領域リソースに対応する第１の時間単位は、システムフレーム中でインデックス番号ｉを有する時間単位である、送信するステップと、
前記第１の通信デバイスによって、インデックス番号ｉを有する前記時間単位の情報と、前記第１の周波数領域リソースの情報と、時間単位の量Ｍとに従って第１のランダムアクセス応答（ＲＡＲ）のスクランブル値を決定するステップであって、前記第１のＲＡＲは、前記第１のプリアンブルに対応するＲＡＲであり、Ｍは、前記第１の通信デバイスと前記第２の通信デバイスとの間の通信のための複数のシステムパラメータ中の各システムパラメータのシステムフレーム中の時間単位の量の整数倍に等しい、決定するステップと、
前記第１のＲＡＲの前記スクランブル値に従って前記第１のＲＡＲの時間ウィンドウ中で前記第１の通信デバイスによって、前記第２の通信デバイスから前記第１のＲＡＲを受信するステップであって、前記第１のＲＡＲの前記時間ウィンドウの長さは、Ｍ個の時間単位以下である、受信するステップと
を備える方法。
【請求項２】
前記第１の通信デバイスによって、前記第１のＲＡＲの前記時間ウィンドウの前記長さに関する情報を前記第２の通信デバイスから受信するステップ
をさらに備える請求項１に記載の方法。
【請求項３】
前記時間単位は、前記第１の通信デバイスと前記第２の通信デバイスとの間でのデータ伝送のための時間間隔、またはスロットである請求項１または２に記載の方法。
【請求項４】
前記第１の通信デバイスによって、インデックス番号ｉを有する前記時間単位の情報と、前記第１の周波数領域リソースの情報と、時間単位の量Ｍとに従って第１のＲＡＲのスクランブル値を決定する前記ステップは、
前記第１の通信デバイスによって、前記時間単位の前記インデックス番号ｉと、前記第１の周波数領域リソースの情報と、時間単位の前記量Ｍと、現在のシステムパラメータのシステムフレーム中の時間単位の量と、前記時間単位のうちの１つ中にあり前記第１のプリアンブルのものである候補周波数領域リソースの最大量と、前記第１の時間領域リソースが位置する第１のシステムフレームのインデックス番号とのうちの少なくとも１つに従って前記第１のＲＡＲの前記スクランブル値を決定するステップ
を備える請求項１乃至３のいずれか一項に記載の方法。
【請求項５】
前記第１のプリアンブルは、前記第２の通信デバイスに前記第１の通信デバイスによって送信される必要があるＫ個のプリアンブルのうちのいずれか１つであり、前記第１のプリアンブルは、前記プリアンブル中のＴ番目のプリアンブルであり、１≦Ｔ≦Ｋであり、前記第１の時間領域リソースに対応する前記第１の時間単位の前記インデックス番号はｉTであり、ｉTの値は、Ｔの値とともに変化し、前記第１の周波数領域リソースは、（ｊT）番目の周波数領域リソースであり、
前記第１のＲＡＲの前記時間ウィンドウの開始時間単位は、前記プリアンブル中の第１のプリアンブルに対応する第１の時間単位のインデックス番号ｉ1に関係づけられ、ならびに／または
前記第１のＲＡＲの前記時間ウィンドウの終了時間単位は、前記プリアンブル中のＫ番目のプリアンブルに対応する第１の時間単位のインデックス番号ｉKに関係づけられる
請求項１乃至４のいずれか一項に記載の方法。
【請求項６】
前記第１の通信デバイスによって、前記第１のＲＡＲの前記スクランブル値に従って前記第１のＲＡＲを受信するステップと、前記第２の通信デバイスにランダムアクセスメッセージ３を送信するステップと
をさらに備える請求項１乃至５のいずれか一項に記載の方法。
【請求項７】
前記第１の通信デバイスによって、前記第１のＲＡＲの前記スクランブル値に従って前記第１のＲＡＲを受信するステップと、前記第２の通信デバイスにＫ個のプリアンブル中の未送信のプリアンブルを送信しないステップと
をさらに備える請求項１乃至５のいずれか一項に記載の方法。
【請求項８】
Ｍの値が８０である請求項１乃至７のいずれか一項に記載の方法。
【請求項９】
通信方法であって、
第２の通信デバイスによって、第１の通信デバイスから第１のプリアンブルを受信するステップであって、前記第１のプリアンブルは、第１の時間領域リソースと第１の周波数領域リソースとを占有し、前記第１の時間領域リソースに対応する第１の時間単位は、システムフレーム中でインデックス番号ｉを有する時間単位である、受信するステップと、
前記第２の通信デバイスによって、インデックス番号ｉを有する前記時間単位の情報と、前記第１の周波数領域リソースの情報と、時間単位の量Ｍとに従って第１のランダムアクセス応答（ＲＡＲ）のスクランブル値を決定するステップであって、前記第１のＲＡＲは、前記第１のプリアンブルに対応するＲＡＲであり、Ｍは、前記第１の通信デバイスと前記第２の通信デバイスとの間の通信のための複数のシステムパラメータ中の各システムパラメータのシステムフレーム中の時間単位の量の整数倍に等しい、決定するステップと、
前記第２の通信デバイスによって、前記第１のＲＡＲの前記スクランブル値に従って前記第１のＲＡＲの時間ウィンドウ中で前記第１の通信デバイスに前記第１のＲＡＲを送信するステップであって、前記第１のＲＡＲの前記時間ウィンドウの長さは、Ｍ個の時間単位以下である、送信するステップと
を備える方法。
【請求項１０】
前記第２の通信デバイスによって、前記第１の通信デバイスに前記第１のＲＡＲの前記時間ウィンドウの前記長さに関する情報を送信するステップ
をさらに備える請求項９に記載の方法。
【請求項１１】
前記時間単位は、前記第１の通信デバイスと前記第２の通信デバイスとの間でのデータ伝送のための時間間隔、またはスロットである請求項９または１０に記載の方法。
【請求項１２】
前記第２の通信デバイスによって、インデックス番号ｉを有する前記時間単位の情報と、前記第１の周波数領域リソースの情報と、時間単位の量Ｍとに従って第１のＲＡＲのスクランブル値を決定する前記ステップは、
前記第２の通信デバイスによって、前記時間単位の前記インデックス番号ｉ、前記第１の周波数領域リソースの情報、時間単位の前記量Ｍ、現在のシステムパラメータのシステムフレーム中の時間単位の量、前記時間単位のうちの１つ中にあり前記第１のプリアンブルのものである候補周波数領域リソースの最大量、または前記第１の時間領域リソースが位置する第１のシステムフレームのインデックス番号のうちの少なくとも１つに従って前記第１のＲＡＲの前記スクランブル値を決定するステップ
を備える請求項９乃至１１のいずれか一項に記載の方法。
【請求項１３】
前記第１のプリアンブルは、前記第１の通信デバイスに前記第２の通信デバイスによって送信される必要があるＫ個のプリアンブルのうちのいずれか１つであり、前記第１のプリアンブルは、前記プリアンブル中のＴ番目のプリアンブルであり、１≦Ｔ≦Ｋであり、前記第１の時間領域リソースに対応する前記第１の時間単位の前記インデックス番号はｉTであり、ｉTの値は、Ｔの値とともに変化し、前記第１の周波数領域リソースは、（ｊT）番目の周波数領域リソースであり、
前記第１のＲＡＲの前記時間ウィンドウの開始時間単位は、前記プリアンブル中の第１のプリアンブルに対応する第１の時間単位のインデックス番号ｉ1に関係づけられ、ならびに／または
前記第１のＲＡＲの前記時間ウィンドウの終了時間単位は、前記プリアンブル中のＫ番目のプリアンブルに対応する第１の時間単位のインデックス番号ｉKに関係づけられる
請求項９乃至１２のいずれか一項に記載の方法。
【請求項１４】
前記第２の通信デバイスによって、前記第１の通信デバイスからランダムアクセスメッセージ３を受信するステップと、
前記ランダムアクセスメッセージ３に従って前記第２の通信デバイスによって、Ｋ個のプリアンブル中の未送信のプリアンブルによって占有されたランダムアクセスリソースを解放するステップ、または前記ランダムアクセスメッセージ３に従って前記第２の通信デバイスによって、別の通信デバイスに前記Ｋ個のプリアンブル中の未送信のプリアンブルによって占有されたランダムアクセスリソースを割り当てるステップと
をさらに備える請求項９乃至１３のいずれか一項に記載の方法。
【請求項１５】
Ｍの値が８０である請求項９乃至１４のいずれか一項に記載の方法。
【請求項１６】
第１の通信デバイスとして使用される通信デバイスであって、
第２の通信デバイスに第１のプリアンブルを送信するように構成された送信モジュールであって、前記第１のプリアンブルは、第１の時間領域リソースと第１の周波数領域リソースとを占有し、前記第１の時間領域リソースに対応する第１の時間単位は、システムフレーム中でインデックス番号ｉを有する時間単位である、送信モジュールと、
インデックス番号ｉを有する前記時間単位の情報と、前記第１の周波数領域リソースの情報と、時間単位の量Ｍとに従って第１のランダムアクセス応答（ＲＡＲ）のスクランブル値を決定するように構成された処理モジュールであって、前記第１のＲＡＲは、前記第１のプリアンブルに対応するＲＡＲであり、Ｍは、前記第１の通信デバイスと前記第２の通信デバイスとの間の通信のための複数のシステムパラメータ中の各システムパラメータのシステムフレーム中の時間単位の量の整数倍に等しい、処理モジュールと、
前記第１のＲＡＲの前記スクランブル値に従って前記第１のＲＡＲの時間ウィンドウ中で、前記第２の通信デバイスから前記第１のＲＡＲを受信するように構成された受信モジュールであって、前記第１のＲＡＲの前記時間ウィンドウの長さは、Ｍ個の時間単位以下である、受信モジュールと
を備える通信デバイス。
【請求項１７】
前記受信モジュールは、前記第１のＲＡＲの前記時間ウィンドウの前記長さに関する情報を前記第２の通信デバイスから受信するようにさらに構成される、請求項１６に記載の通信デバイス。
【請求項１８】
前記時間単位は、前記第１の通信デバイスと前記第２の通信デバイスとの間でのデータ伝送のための時間間隔、またはスロットである請求項１６または１７に記載の通信デバイス。
【請求項１９】
前記処理モジュールは、前記時間単位の前記インデックス番号ｉ、前記第１の周波数領域リソースの前記情報、時間単位の量Ｍ、現在のシステムパラメータのシステムフレーム中の時間単位の量、前記時間単位のうちの１つ中にあり前記第１のプリアンブルのものである候補周波数領域リソースの最大量、または前記第１の時間領域リソースが位置する第１のシステムフレームのインデックス番号のうちの少なくとも１つに従って前記第１のＲＡＲの前記スクランブル値を決定するように構成された、請求項１６乃至１８のいずれか一項に記載の通信デバイス。
【請求項２０】
前記第１のプリアンブルは、前記第２の通信デバイスに前記第１の通信デバイスによって送信される必要があるＫ個のプリアンブルのうちのいずれか１つであり、前記第１のプリアンブルは、前記プリアンブル中のＴ番目のプリアンブルであり、１≦Ｔ≦Ｋであり、前記第１の時間領域リソースに対応する前記第１の時間単位の前記インデックス番号はｉTであり、ｉTの値は、Ｔの値とともに変化し、前記第１の周波数領域リソースは、（ｊT）番目の周波数領域リソースであり、
前記第１のＲＡＲの前記時間ウィンドウの開始時間単位は、前記プリアンブル中の第１のプリアンブルに対応する第１の時間単位のインデックス番号ｉ1に関係づけられ、ならびに／または
前記第１のＲＡＲの前記時間ウィンドウの終了時間単位は、前記プリアンブル中のＫ番目のプリアンブルに対応する第１の時間単位のインデックス番号ｉKに関係づけられる
請求項１６乃至１９のいずれか一項に記載の通信デバイス。
【請求項２１】
前記受信モジュールは、前記第１のＲＡＲの前記スクランブル値に従って前記第１のＲＡＲを受信するようにさらに構成され、
前記送信モジュールは、前記第２の通信デバイスにランダムアクセスメッセージ３を送信するようにさらに構成された、請求項１６乃至２０のいずれか一項に記載の通信デバイス。
【請求項２２】
前記受信モジュールは、前記第１のＲＡＲの前記スクランブル値に従って前記第１のＲＡＲを受信するようにさらに構成され、
前記処理モジュールは、前記第２の通信デバイスにＫ個のプリアンブル中の未送信のプリアンブルを送信しないようにさらに構成された、請求項１６乃至２０のいずれか一項に記載の通信デバイス。
【請求項２３】
Ｍの値が８０である請求項１６乃至２２のいずれか一項に記載の通信デバイス。
【請求項２４】
第２の通信デバイスとして使用される通信デバイスであって、
第１の通信デバイスから第１のプリアンブルを受信するように構成された受信モジュールであって、前記第１のプリアンブルは、第１の時間領域リソースと第１の周波数領域リソースとを占有し、前記第１の時間領域リソースに対応する第１の時間単位は、システムフレーム中でインデックス番号ｉを有する時間単位である、受信モジュールと、
インデックス番号ｉを有する前記時間単位の情報と、前記第１の周波数領域リソースの情報と、時間単位の量Ｍとに従って第１のランダムアクセス応答（ＲＡＲ）のスクランブル値を決定するように構成された処理モジュールであって、前記第１のＲＡＲは、前記第１のプリアンブルに対応するＲＡＲであり、Ｍは、前記第１の通信デバイスと前記第２の通信デバイスとの間の通信のための複数のシステムパラメータ中の各システムパラメータのシステムフレーム中の時間単位の量の整数倍に等しい、処理モジュールと、
前記第１のＲＡＲの前記スクランブル値に従って前記第１のＲＡＲの時間ウィンドウ中で前記第１の通信デバイスに前記第１のＲＡＲを送信するように構成された送信モジュールであって、前記第１のＲＡＲの前記時間ウィンドウの長さは、Ｍ個の時間単位以下である、送信モジュールと
を備える通信デバイス。
【請求項２５】
前記送信モジュールは、前記第１の通信デバイスに前記第１のＲＡＲの前記時間ウィンドウの前記長さに関する情報を送信するようにさらに構成された、請求項２４に記載の通信デバイス。
【請求項２６】
前記時間単位は、前記第１の通信デバイスと前記第２の通信デバイスとの間でのデータ伝送のための時間間隔、またはスロットである請求項２４または２５に記載の通信デバイス。
【請求項２７】
前記処理モジュールは、前記時間単位の前記インデックス番号ｉ、前記第１の周波数領域リソースの情報、時間単位の前記量Ｍ、現在のシステムパラメータのシステムフレーム中の時間単位の量、前記時間単位のうちの１つ中にあり前記第１のプリアンブルのものである候補周波数領域リソースの最大量、または前記第１の時間領域リソースが位置する第１のシステムフレームのインデックス番号のうちの少なくとも１つに従って前記第１のＲＡＲの前記スクランブル値を決定するように構成された、請求項２４乃至２６のいずれか一項に記載の通信デバイス。
【請求項２８】
前記第１のプリアンブルは、前記第１の通信デバイスに前記第２の通信デバイスによって送信される必要があるＫ個のプリアンブルのうちのいずれか１つであり、前記第１のプリアンブルは、前記プリアンブル中のＴ番目のプリアンブルであり、１≦Ｔ≦Ｋであり、前記第１の時間領域リソースに対応する前記第１の時間単位の前記インデックス番号はｉTであり、ｉTの値は、Ｔの値とともに変化し、前記第１の周波数領域リソースは、（ｊT）番目の周波数領域リソースであり、
前記第１のＲＡＲの前記時間ウィンドウの開始時間単位は、前記プリアンブル中の第１のプリアンブルに対応する第１の時間単位のインデックス番号ｉ1に関係づけられ、ならびに／または
前記第１のＲＡＲの前記時間ウィンドウの終了時間単位は、前記プリアンブル中のＫ番目のプリアンブルに対応する第１の時間単位のインデックス番号ｉKに関係づけられる
請求項２４乃至２７のいずれか一項に記載の通信デバイス。
【請求項２９】
前記受信モジュールは、前記第１の通信デバイスからランダムアクセスメッセージ３を受信するようにさらに構成され、
前記処理モジュールは、前記ランダムアクセスメッセージ３に従って、Ｋ個のプリアンブル中の未送信のプリアンブルによって占有されたランダムアクセスリソースを解放し、または前記ランダムアクセスメッセージ３に従って、別の通信デバイスに前記Ｋ個のプリアンブル中の未送信のプリアンブルによって占有されたランダムアクセスリソースを割り当てるようにさらに構成された、請求項２４乃至２８のいずれか一項に記載の通信デバイス。
【請求項３０】
Ｍの値が８０である請求項２４乃至２９のいずれか一項に記載の通信デバイス。
【請求項３１】
トランシーバとプロセッサとを備えた通信デバイスであって、
前記トランシーバは、第２の通信デバイスに第１のプリアンブルを送信するように構成され、前記第１のプリアンブルは、第１の時間領域リソースと第１の周波数領域リソースとを占有し、前記第１の時間領域リソースに対応する第１の時間単位は、システムフレーム中でインデックス番号ｉを有する時間単位であり、
前記プロセッサは、インデックス番号ｉを有する前記時間単位の情報と、前記第１の周波数領域リソースの情報と、時間単位の量Ｍとに従って第１のランダムアクセス応答（ＲＡＲ）のスクランブル値を決定するように構成され、前記第１のＲＡＲは、前記第１のプリアンブルに対応するＲＡＲであり、Ｍは、前記通信デバイスと前記第２の通信デバイスとの間の通信のための複数のシステムパラメータ中の各システムパラメータのシステムフレーム中の時間単位の量の整数倍に等しく、
前記トランシーバは、前記第１のＲＡＲの前記スクランブル値に従って前記第１のＲＡＲの時間ウィンドウ中で、前記第２の通信デバイスから前記第１のＲＡＲを受信するようにさらに構成され、前記第１のＲＡＲの前記時間ウィンドウの長さは、Ｍ個の時間単位以下である、通信デバイス。
【請求項３２】
トランシーバとプロセッサとを備えた通信デバイスであって、
前記トランシーバは第１の通信デバイスから第１のプリアンブルを受信するように構成され、前記第１のプリアンブルは、第１の時間領域リソースと第１の周波数領域リソースとを占有し、前記第１の時間領域リソースに対応する第１の時間単位は、システムフレーム中でインデックス番号ｉを有する時間単位であり、
前記プロセッサは、インデックス番号ｉを有する前記時間単位の情報と、前記第１の周波数領域リソースの情報と、時間単位の量Ｍとに従って第１のランダムアクセス応答（ＲＡＲ）のスクランブル値を決定するように構成され、前記第１のＲＡＲは、前記第１のプリアンブルに対応するＲＡＲであり、Ｍは、前記第１の通信デバイスと前記通信デバイスとの間の通信のための複数のシステムパラメータ中の各システムパラメータのシステムフレーム中の時間単位の量の整数倍に等しく、
前記トランシーバは前記第１のＲＡＲの前記スクランブル値に従って前記第１のＲＡＲの時間ウィンドウ中で前記第１の通信デバイスに前記第１のＲＡＲを送信するようにさらに構成され、前記第１のＲＡＲの前記時間ウィンドウの長さは、Ｍ個の時間単位以下である、
通信デバイス。
【請求項３３】
命令を記憶したコンピュータ可読記憶媒体であって、前記命令がコンピュータデバイスまたはプロセッサにより実行されると、請求項１乃至８のいずれか一項に記載の通信方法が実施される、コンピュータ可読記憶媒体。
【請求項３４】
命令を記憶したコンピュータ可読記憶媒体であって、前記命令がコンピュータデバイスまたはプロセッサにより実行されると、請求項９乃至１５のいずれか一項に記載の通信方法が実施される、コンピュータ可読記憶媒体。
【請求項３５】
コンピュータプログラムであって、前記コンピュータプログラムは通信デバイスの少なくとも１つのプロセッサにより実行され、その結果、前記通信デバイスは請求項１乃至８のいずれか一項に記載の通信方法を実施する、コンピュータプログラム。
【請求項３６】
コンピュータプログラムであって、前記コンピュータプログラムは通信デバイスの少なくとも１つのプロセッサにより実行され、その結果、前記通信デバイスは請求項９乃至１５のいずれか一項に記載の通信方法を実施する、コンピュータプログラム。
【手続補正２】
【補正対象書類名】明細書
【補正対象項目名】０１３８
【補正方法】変更
【補正の内容】
【０１３８】
ハードウェア実装形態では、受信モジュール３１と送信モジュール３３とは、この実施形態におけるトランシーバ４２であり得る。代替として、トランシーバ４２は、送信機と受信機とを含み、受信モジュール３１は、トランシーバ４２中の受信機であり得、送信モジュール３３は、トランシーバ４２中の送信機であり得る。処理モジュール３２は、ハードウェアの形態でネットワークデバイス中のプロセッサ４１中に埋め込まれ得るか、またはそれとは無関係であり得る。
【手続補正３】
【補正対象書類名】明細書
【補正対象項目名】０１４５
【補正方法】変更
【補正の内容】
【０１４５】
上記の実施形態の全部または一部は、ソフトウェア、ハードウェア、ファームウェア、またはそれらの任意の組合せを使用することによって実装され得る。ソフトウェアが実施形態を実装するために使用されるとき、実施形態の全部または一部はコンピュータプログラム製品の形態で実装され得る。コンピュータプログラム製品は、１つまたは複数のコンピュータ命令を含む。コンピュータプログラム命令がコンピュータ上にロードされ、実行されるとき、本出願の実施形態によるプロセスまたは機能の一部もしくは全部が生成される。コンピュータは、汎用コンピュータ、専用コンピュータ、コンピュータネットワーク、または別のプログラマブル装置であり得る。コンピュータ命令は、コンピュータ可読記憶媒体中に記憶され得るか、またはコンピュータ可読記憶媒体から別のコンピュータ可読記憶媒体に伝送され得る。たとえば、コンピュータ命令は、ワイヤード（たとえば、同軸ケーブル、光ファイバ、またはデジタル加入者回線（ＤＳＬ））またはワイヤレス（たとえば、赤外線、無線、またはマイクロ波）の方式でウェブサイト、コンピュータ、サーバ、またはデータセンターから別のウェブサイト、コンピュータ、サーバ、またはデータセンターに伝送され得る。コンピュータ可読記憶媒体は、コンピュータにアクセス可能な任意の使用可能な媒体、あるいは１つもしくは複数の使用可能な媒体を統合するサーバまたはデータセンターなどのデータストレージデバイスであり得る。使用可能な媒体は、磁気媒体（たとえば、フロッピーディスク、ハードディスク、または磁気テープ）、光媒体（たとえば、ＤＶＤ）、半導体媒体（たとえば、ソリッドステートディスク（ＳＳＤ））などであり得る。
【国際調査報告】
2020529796.tif 000011
2020529796.tif 000012
2020529796.tif 000013
2020529796.tif 000014
2020529796.tif 000015
2020529796.tif 000016